(57)【要約】      （修正有）【課題】ＰＯＮにおいて相異なる通信アーキテクチャを管理する方法を提供する。【解決手段】ＰＯＮにおける第１のチャネルのセットのうちの各チャネルで、第１の時間スロットで、アップストリームまたはダウンストリーム方向にトラフィックを送信する段階を含む。該方法は、第１のチャネルのセットより大きな帯域幅を提供する、ＰＯＮにおける第２のチャネルのセットのうちの各チャネルで、第２の時間スロットで、同じアップストリームまたはダウンストリーム方向にトラフィックを送信する段階も含み、第１のチャネルのセットのうちの少なくとも１つのチャネルは、第２のチャネルのセットのうちの少なくとも１つのチャネルと少なくとも部分的に重なるが、第２のチャネルのセットのうちの少なくとも１つのチャネルと同一ではない。【選択図】図１
2008187712.tif 000002
【特許請求の範囲】
【請求項１】
パッシブオプティカルネットワーク（ＰＯＮ）において相異なる通信アーキテクチャを管理する方法であって、
ＰＯＮにおける第１のチャネルのセットのうちの各チャネルで、第１の時間スロットで、アップストリームまたはダウンストリーム方向にトラフィックを送信する段階と、
前記第１のチャネルのセットより大きな帯域幅を提供する、ＰＯＮにおける第２のチャネルのセットのうちの各チャネルで、第２の時間スロットで、同じアップストリームまたはダウンストリーム方向にトラフィックを送信する段階とを有し、
前記第１のチャネルのセットのうちの少なくとも１つのチャネルは、前記第２のチャネルのセットのうちの少なくとも１つのチャネルと少なくとも部分的に重なるが、前記第２のチャネルのセットのうちの前記少なくとも１つのチャネルと同一ではない方法。
【請求項２】
パッシブオプティカルネットワーク（ＰＯＮ）において相異なる通信アーキテクチャを管理するシステムであって、
ＰＯＮにおける第１のチャネルのセットのうちの各チャネルで、第１の時間スロットで、アップストリームまたはダウンストリーム方向にトラフィックを送信するように構成された第１のトランスミッタのセットと、
前記第１のチャネルのセットより大きな帯域幅を提供する、ＰＯＮにおける第２のチャネルのセットのうちの各チャネルで、第２の時間スロットで、同じアップストリームまたはダウンストリーム方向にトラフィックを送信する第２のトランスミッタのセットとを有し、
前記第１のチャネルのセットのうちの少なくとも１つのチャネルは、前記第２のチャネルのセットのうちの少なくとも１つのチャネルと少なくとも部分的に重なるが、前記第２のチャネルのセットのうちの前記少なくとも１つのチャネルと同一ではないシステム。
【請求項３】
一トランスミッタが前記第１のトランスミッタのセットと前記第２のトランスミッタのセットとに含まれ、前記第１の時間スロットのチャネルと前記第２の時間スロットのチャネルでトラフィックを送信するように構成された、請求項２に記載のシステム。
【請求項４】
前記第１のセットのうちのチャネルの数は前記第２のセットのうちのチャネルの数とは異なる、請求項２に記載のシステム。
【請求項５】
前記第１のトランスミッタのセットは第１のビットレートで前記第１の時間スロットで前記トラフィックの少なくとも一部を送信するようにさらに構成され、
前記第２のトランスミッタのセットは第２のビットレートで前記第２の時間スロットで前記トラフィックの少なくとも一部を送信するようにさらに構成され、
前記第１のビットレートは前記第２のビットレートは異なる、請求項２に記載のシステム。
【請求項６】
前記第１のトランスミッタのセットと前記第２のトランスミッタのセットはアップストリーム方向にトラフィックを送信するように構成された、請求項２に記載のシステム。
【請求項７】
前記第１のトランスミッタのセットと前記第２のトランスミッタのセットはダウンストリーム方向にトラフィックを送信するように構成された、請求項２に記載のシステム。
【請求項８】
パッシブオプティカルネットワーク（ＰＯＮ）において相異なる通信アーキテクチャを管理する方法であって、
ＰＯＮにおける第１のチャネルのセットのうちの各チャネルで、第１の時間スロットで、アップストリーム方向にトラフィックを送信する段階と、
前記第１のチャネルのセットより大きな帯域幅を提供する、ＰＯＮにおける第２のチャネルのセットのうちの各チャネルで、第２の時間スロットで、アップストリーム方向にトラフィックを送信する段階とを有し、
前記第１のチャネルのセットのうちの少なくとも１つのチャネルは、前記第２のチャネルのセットのうちの少なくとも１つのチャネルと少なくとも部分的に重なるが、前記第２のチャネルのセットのうちの前記少なくとも１つのチャネルと同一ではなく、
前記第１の時間スロットで送信される前記トラフィックの少なくとも一部は第１のビットレートでさらに送信され、
前記第２の時間スロットで送信される前記トラフィックの少なくとも一部は第２のビットレートでさらに送信され、
前記第１のビットレートは前記第２のビットレートは異なる方法。
【発明の詳細な説明】
【技術分野】
【０００１】
本発明は通信システムに関し、特にパッシブオプティカルネットワーク（ＰＯＮ）における相異なる通信アーキテクチャを管理するシステムと方法に関する。
【背景技術】
【０００２】
近年、アクセスネットワークとして知られているネットワーク部分において通信ネットワークのボトルネックが生じている。長距離光ネットワークの帯域幅は波長分割多重（ＷＤＭ）や高ビットレートでのトラフィック伝送等の新しい技術により急激に増大した。大都市圏ネットワーク（metropolitan-area  network）の帯域幅も劇的に増大している。しかし、アクセスネットワークでは、手頃な価格での帯域幅の増大がまだなされていない。このように、現在はアクセスネットワークがインターネット等の通信ネットワークのボトルネックとなっている。
【０００３】
ＰＳＰＯＮ（Power-splitting  passive  optical  networks）はこのボトルネック問題に１つの解決策を提供する。ＰＳＰＯＮは、キャリアの中央局にある光ライン端末（ＯＬＴ）が光ネットワークユニット（ＯＮＵ）にブロードキャストの（１つ以上の）ダウンストリーム波長でトラフィックを送信する、典型的なアクセスネットワークを指す。アップストリーム方向では、ＯＮＵは典型的には１つの波長でトラフィックの送信を時分割する。ＯＮＵはアクセスノードの一種であり、ファイバ経由で送信された光信号を個別の加入者に送信できる電気信号に変換し、その逆も行う。ＰＳＰＯＮは、一般的なアクセスネットワークよりも大きな帯域幅を提供することによりボトルネック問題を解決する。例えば、デジタル加入者線（ＤＳＬ）ネットワーク等のネットワークは、銅でできた電話線を介してトラフィックを伝送するが、一般的には約１４４キロビット／秒と１．５メガバイト／秒の間のレートで伝送を行う。反対に、ブロードバンドＰＯＮ（ＢＰＯＮ）はＰＳＰＯＮの一例であるが、現在のところ配備されており、数百メタビット／秒の容量を提供しそれを３２ユーザが共有している。ギガビットＰＯＮ（ＧＰＯＮ）は、ＰＳＰＯＮのもう一つの例であり、より強力なトランスミッタを使用して典型的には２．５ギガビット／秒までのスピードで動作し、さらに大きな帯域幅を提供している。ＰＳＰＯＮにはこの他に非同期転送モードＰＯＮ（ＡＰＯＮ）やギガビットイーサネット(登録商標)ＰＯＮ（ＧＥＰＯＮ）などがある。
【０００４】
ＰＳＰＯＮシステムがアクセスネットワークにおいては大きな帯域幅を提供しているが、需要は増え続けており、より大きな帯域幅が求められている。１つの解決策は、波長分割多重ＰＯＮ（ＷＤＭＰＯＮ）であり、ダウンストリーム（及びアップストリーム）の容量を劇的に増大させるが、まだ十分ではない。ＷＤＭＰＯＮは、各ＯＮＵがそれぞれ専用のダウンストリーム及びアップストリーム波長を介してトラフィックを送受信するアクセスネットワークのことである。ＷＤＭＰＯＮは、容量を劇的に増やすが、多くのオペレータにとってはコストが高すぎ、現在及び近い将来の需要を大幅に上回る容量を提供する。
【０００５】
その他の解決策として、ＰＳＰＯＮとＷＤＭＰＯＮの間のハイブリッドＰＯＮ（ＨＰＯＮ）もダウンストリームの容量を増大させる。一般的に、ＨＰＯＮは、完全なＷＤＭＰＯＮではないが、各々を波長共有ＯＮＵのグループが共有する複数の波長でダウンストリームトラフィックを送信するか、または各ＯＮＵに一意的な波長でダウンストリームトラフィックを送信する任意の適切なＰＯＮをいう。ＨＰＯＮは一部のネットワークオペレータにとって、ＰＳＰＯＮからの経済的なアップグレードである。場合によっては、ネットワークオペレータは、十分な帯域幅需要があるとき、ＨＰＯＮをＷＤＭＰＯＮにアップグレードする。
【０００６】
ＰＯＮの容量をアップグレードするときの１つの問題は、一部のＯＮＵユーザはアップストリームまたはダウンストリームのアップグレードを望むが、他のＯＮＵユーザは望まないということである。場合によっては、容量をアップグレードするには、既存の通信アーキテクチャとは異なり、コンフリクトする通信アーキテクチャが必要となる。かかる場合、ネットワークオペレータは両方のタイプのユーザの利益にかなうアップグレード策を望んでいる。
【発明の開示】
【課題を解決するための手段】
【０００７】
本発明の教示によると、パッシブオプティカルネットワーク（ＰＯＮにおいて相異なる通信アーキテクチャを管理するシステムと方法を提供する。一実施形態において、ＰＯＮにおいて相異なる通信アーキテクチャを管理する方法は、ＰＯＮにおける第１のチャネルのセットのうちの各チャネルで、第１の時間スロットで、アップストリームまたはダウンストリーム方向にトラフィックを送信する段階を含む。該方法は、前記第１のチャネルのセットより大きな帯域幅を提供する、ＰＯＮにおける第２のチャネルのセットのうちの各チャネルで、第２の時間スロットで、同じアップストリームまたはダウンストリーム方向にトラフィックを送信する段階も含み、前記第１のチャネルのセットのうちの少なくとも１つのチャネルは、前記第２のチャネルのセットのうちの少なくとも１つのチャネルと少なくとも部分的に重なるが、前記第２のチャネルのセットのうちの前記少なくとも１つのチャネルと同一ではない。
【０００８】
本発明の実施形態の技術的有利性には、パッシブオプティカルネットワークにおいて容量を柔軟にアップグレードできることが含まれる。一部の実施形態では、ネットワークオペレータは、例えば、アップグレードされたアップストリーム通信アーキテクチャが、既存のアップストリーム通信アーキテクチャとコンフリクトしても、一部のＯＮＵのアップストリーム容量をアップグレードし、他のＯＮＵの既存のアップストリーム容量をそのまま維持できる。アップストリーム通信アーキテクチャは、例えば、その２つの通信アーキテクチャが同一または重なり合うアップストリーム波長帯域またはチャネルを使用する場合、コンフリクトすることがある。他の実施形態では、ネットワークオペレータは、例えば、アップグレードされたダウンストリーム通信アーキテクチャが、既存のダウンストリーム通信アーキテクチャとコンフリクト（conflict）しても、一部のＯＮＵのダウンストリーム容量をアップグレードし、他のＯＮＵの既存のダウンストリーム容量をそのまま維持できる。
【０００９】
その他の実施形態の技術的有利性には、２つ以上の通信アーキテクチャを高いコスト効率でサポートできることが含まれる。例えば、実施形態によっては、少数のコストがかからないコンポーネントを使用して、単一のパッシブオプティカルネットワークにおいて、複数の通信アーキテクチャを管理できる。実施形態によっては、その複数の通信アーキテクチャはレガシー（legacy）通信アーキテクチャとアップグレード（upgraded）通信アーキテクチャとを含んでもよい。別の実施形態では、複数の通信アーキテクチャを同時にインストール（install）してもよい。
【００１０】
パッシブオプティカルネットワーク（ＰＯＮ）における容量のアップグレードを柔軟にすることにより、本発明の一部の実施形態では、ネットワークオペレータはより大きな帯域幅に対する需要をよりよく満たすことができる。多くのネットワークオペレータの場合、より大きな帯域幅に対する需要をよりよく満たすことにより、効率的にアップグレードをできる。少数の比較的コストがかからないコンポーネントを使用して通信アーキテクチャをサポートできるので、一部の実施形態がより魅力的になる。また、ネットワークオペレータは、一部のユーザにより大きな容量にアップグレードさせ、他のユーザに既存の容量のままに留まらせることにより、ユーザの満足度を高められる利益がある。
【００１１】
言うまでもなく、本発明の様々な実施形態には、列記した技術的有利性の一部または全部が含まれても、全く含まれなくてもよい。また、本発明の他の技術的有利性は、図面、詳細な説明、及び特許請求の範囲に基づき、当業者には容易に明らかとなるであろう。
【００１２】
本発明とその特徴及び優位性をよりよく理解してもらうため、添付した図面を参照しつつ以下に説明する。
【発明を実施するための最良の形態】
【００１３】
図１はＰＳＰＯＮ（Power  Splitting  Passive  Optical  Network）１０の一例を示す図である。一般的に、ＰＳＰＯＮはアクセスネットワークとして知られるネットワーク部分における通信ネットワークのボトルネックを解決するために使用されている。近年、長距離光ネットワークの帯域幅は波長分割多重（ＷＤＭ）や高ビットレートでのトラフィック伝送等の新しい技術により急激に増大した。また、大都市圏ネットワーク（metropolitan-area  network）の帯域幅も劇的に増大している。しかし、アクセスネットワークでは、手頃な価格での帯域幅の増大がまだなされていない。このように、現在はアクセスネットワークがインターネット等の通信ネットワークのボトルネックとなっている。
【００１４】
ＰＳＰＯＮは、一般的なアクセスネットワークよりも大きな帯域幅を提供することによりボトルネック問題を解決する。例えば、デジタル加入者線（ＤＳＬ）ネットワーク等のネットワークは、銅でできた電話線を介してトラフィックを伝送するが、一般的には約１４４キロビット／秒と１．５メガバイト／秒の間のレートで伝送を行う。反対に、ブロードバンドＰＯＮ（ＢＰＯＮ）は、現在のところ配備されており、数百メタビット／秒の容量を提供しそれを３２ユーザが共有している。ギガビットＰＯＮ（ＧＰＯＮ）は、より強力なトランスミッタを使用して典型的には２．５ギガビット／秒までのスピードで動作し、さらに大きな帯域幅を提供している。
【００１５】
図１のＰＳＰＯＮ１０を再び参照して、ＰＳＰＯＮ１０は光ライン端末（ＯＬＴ）１２、光ファイバ３０、リモートノード（ＲＮ）４０、光ネットワークユニット（ＯＮＵ）５０を含む。ＰＳＰＯＮ１０は、キャリアの中央局にある光ライン端末（ＯＬＴ）が光ネットワークユニット（ＯＮＵ）にブロードキャストの（１つ以上の）ダウンストリーム波長でトラフィックを送信する、典型的なアクセスネットワークを指す。ＰＳＰＯＮ１０は、例えば、非同期転送モードＰＯＮ（ＡＰＯＮ）、ＢＰＯＮ、ＧＰＯＮ、ギガビットイーサネット(登録商標)ＰＯＮ（ＧＥＰＯＮ）、あるいはその他の好適なＰＳＰＯＮである。すべてのＰＳＰＯＮ１０に共通の特徴は、外部のファイバ装置（outside  fiber  plant）が完全にパッシブ（passive）だということである。ＯＬＴが送信するダウンストリーム信号は、ＲＮによりパッシブに分配され、ファイバブランチ（branches  of  fiber）を通って、ＲＮに結合したダウンストリームのＯＮＵに行く。各ＯＮＵは一つのブランチの端に結合している。ＯＮＵが送信したアップストリーム信号もＲＮによりパッシブに転送されて、ＯＬＴに行く。
【００１６】
ＯＬＴ１２は、アップストリーム端末の一例であるが、キャリア（carrier）の中央オフィスにあり、そこでより大きな通信ネットワークに結合されている。ＯＬＴ１２はトランスミッタ１４を含み、トラフィックを、ダウンストリーム波長λｄで、すべてのＯＮＵ５０にブロードキャスト送信する。ＯＮＵ５０はカスタマサイト（customer  sites）またはその近くにある。ＯＬＴ１２は第２のトランスミッタ２０を含み、トラフィックを、（λｄに加えて）第２のダウンストリーム波長λｖで、すべてのＯＮＵ５０にブロードキャスト送信する。一例として、典型的なＧＰＯＮでは、λｖはアナログビデオのトラフィック（traffic）を搬送する。あるいは、λｖはデジタルデータトラフィックを搬送してもよい。ＯＬＴ１２は、レシーバ１８も含み、トラフィックを、全てのＯＮＵ５０から、時分割されたアップストリーム波長λｕで受信する。ＯＬＴ１２は適宜、波長を通過、反射させるフィルタ１６と２２も含む。
【００１７】
留意すべきこととして、典型的なＰＳＰＯＮでは、λｄとλｖのダウンストリームトラフィックは、λｕのトラフィックよりも大きなビットレートで送信される。ＰＳＰＯＮの帯域幅（bandwidth）はアップストリームの方がダウンストリームより小さいからである。また、留意すべきこととして、「ダウンストリーム」トラフィックはＯＬＴ（またはアップストリーム端末）からＯＮＵ（またはダウンストリーム端末）方向に進むトラフィックを指し、「アップストリーム」トラフィックはＯＮＵ（またはダウンストリーム端末）からＯＬＴ（またはアップストリーム端末）方向に進むトラフィックを指す。さらに留意すべきこととして、具体的なＰＳＰＯＮでは、例えば、λｄは１４９０ｎｍを中心とする帯域（band）を含み、λｖは１５５０ｎｍを中心とする帯域を含み、λｕは１３１０ｎｍを中心とする帯域を含む。
【００１８】
光ファイバ３０はアップストリームトラフィックとダウンストリームトラフィックを搬送する好適ないかなるファイバも含み得る。あるＰＳＰＯＮ１０では、光ファイバ３０は例えば双方向光ファイバを含む。他のＰＳＰＯＮ１０では、光ファイバ３０は相異なる２つのファイバを含む。
【００１９】
ＰＳＰＯＮ１０のＲＮ４０（一般的に分配ノードとも呼ぶ）は、光カップラ等のいかなる好適なパワースプリッタを含み、ＯＬＴ１２をＯＮＵ５０と接続する。ＲＮ４０はいずれかの好適な位置に配置され、ダウンストリーム信号を分割（split）して、各ＯＮＵ５０がダウンストリーム信号のコピーを受信するようにする。分割（split）とその他の起こりうるパワー損失とにより、ＯＮＵに送られる各コピーのパワーは、ＲＮ４０が受信したダウンストリーム信号のパワーの１／Ｎより小さくなる。ここで、ＮはＯＮＵ５０の数を表す。ダウンストリーム信号のスプリットに加えて、ＲＮ４０はＯＮＵ５０が送信した時分割信号（time-shared  signals）を、単一のアップストリーム信号に結合する働きもする。ＲＮ４０はそのアップストリーム信号をＯＬＴ１２に転送する。
【００２０】
（ダウンストリーム端末の例である）ＯＮＵ５０は、いかなる好適な光ネットワークユニットや光ネットワーク端末（ＯＮＴ）も含み、一般的には、ファイバを介して送信された光信号を個々の加入者に、またはその逆に送信し得る電気信号に変換するアクセスノードを指している。加入者には一般家庭（residential  customer）と事業所（commercial  customer）とが含まれる。一般的に、ＰＯＮ１０は１つのＯＬＴ１２あたり３２台のＯＮＵ５０を有し、そのためＰＯＮの多くの例ではこの台数のＯＮＵを含むものとして説明する。しかし、１つのＯＬＴあたりのＯＮＵの台数はいかなる好適な台数であってもよい。ＯＮＵ５０は、（一方はλｄのトラフィックであり、他方はλｖのトラフィックである）ダウンストリームトラフィックを受信する２つのレシーバと、λｕのアップストリームトラフィックを送信する１つのトランスミッタとを有するトリプレクサ（triplexers）を含んでもよい。ＯＮＵトランスミッタの伝送レートはＯＬＴの伝送レートより一般的には低い（アップストリームの伝送能力に対する需要はダウンストリームの伝送能力に対する需要よりも小さいからである）。各ＯＮＵ５０は、指定されたダウンストリームトラフィックを処理して、適当な時分割プロトコルによりアップストリームトラフィックを送信する（１つのＯＮＵがλｕで送信したトラフィックがもう１つのＯＮＵがλｕで送信したトラフィックとぶつからないようにする）。
【００２１】
動作中、ＯＬＴ１２のトランスミッタ１４は、λｄでのＯＮＵ５０へのブロードキャストのダウンロードトラフィックを送信する。ＯＬＴ１２のトランスミッタは、ＯＮＵ５０にλｖでブロードキャスト用ダウンストリームアナログビデオトラフィックも送信することができる。λｄのトラフィックはフィルタ１６を通過し、（λｄを通し、λｖを反射する）フィルタ２２でλｖと結合される。結合されたトラフィックは光ファイバ３０を介してＲＮ４０に進む。ＲＮ４０はダウンストリームトラフィックを好適な数のコピーに分岐して、各コピーを対応するＯＮＵ５０に送る。各ＯＮＵ５０はλｄとλｖでダウンストリームトラフィックのコピーを受信し、その信号を処理する。好適なアドレッシング方式（addressing  schemes）を用いてどのトラフィックがどのＯＮＵ５０に宛てられているか識別する。
【００２２】
アップストリーム方向では、各ＯＮＵ５０は、アップストリームトラフィックを、ファイバ３０を介してλｕで（アップストリームトラフィックがぶつからないように）好適な時分割プロトコルにより送信することもできる。ＲＮ４０は、（例えば、ＲＮのパワースプリッタにおいて）各ＯＮＵ５０からアップストリームトラフィックを受信し、各ＯＮＵ５０からのトラフィックを１つの信号に結合する。次に、ＲＮ４０は結合したその信号をファイバ３０を介してＯＬＴ１２に送る。ＯＬＴ１２において、結合トラフィック（combined  traffic）はフィルタ２２を通過し、フィルタ１６によりレシーバ１８に反射される。レシーバ１８はその信号を受信し、それを処理する。
【００２３】
図２はＨＰＯＮ５００の一例を示す図である。例示したＨＰＯＮ５００は、ＯＬＴ５１２と、光ファイバ５３０と、ＲＮ５４０と、ＯＮＵ５５０とを有し、ＰＳＰＯＮとＷＤＭＰＯＮとのハイブリッドになっている。ＨＰＯＮ５００は、２つ以上のＯＮＵ５５０よりなる複数のグループにダウンストリームのＷＤＭ波長を共有させることにより、ＰＳＰＯＮより大きなダウンストリーム容量を提供する。留意すべきこととして、ＨＰＯＮは、完全なＷＤＭＰＯＮではないがダウンストリームトラフィックをある波長であるＯＮＵにルーティングできる任意の好適なＰＯＮを指している。ＨＰＯＮには、複数の波長でダウンストリームトラフィックを伝送し、波長を共有するＯＮＵの１つのグループが各波長を共有するＨＰＯＮ（例示したのは、ＷＳ−ＨＰＯＮ）と、各ＯＮＵに対して唯一の波長でダウンストリームトラフィックを伝送する（がアップストリーム方向ではＰＳＰＯＮの特徴を維持する）ＨＰＯＮとの両方が含まれる。
【００２４】
（アップストリーム端末の一例である）ＯＬＴ５１２は、キャリアのオフィスに置かれ、トランスミッタ５１４と、マルチプレクサ５１５と、フィルタ５１６と、レシーバ５１８と、トランスミッタ５２０と、フィルタ５２２とを有する。各トランスミッタ５１４ａ−５１４ｄは任意の適切なトランスミッタを有し、対応する波長λ１−λ４でトラフィックを送信する。留意すべき点として、例示したＨＰＯＮ５００はアップストリームトラフィックにはＷＤＭを使わないが、将来ＷＤＭアップストリームにアップグレードすることを予想して、ＯＬＴ５１２に、トランスミッタ５１４だけではなくトランシーバ（トランスミッタ及びレシーバ）を備えると経済的である。さらに留意すべき点として、例示したＨＰＯＮ５００は４台のトランスミッタを有しているが、任意の適切な台数のトランスミッタ（またはトランシーバ）を備えて、任意の適切な数の波長でトラフィックを送信してもよい。
【００２５】
マルチプレクサ５１５は任意の適切なマルチプレクサ／デマルチプレクサを有し（波長ルータであると考えてもよい）、λ１−λ４のトラフィックを結合して１つの信号にする。あるネットワークの例では、マルチプレクサ５１５は、各ポートにより１つ以上の波長のトラフィックを受け取り、結合するサイクリックマルチプレクサ（cyclic  multiplexer）を有する。他のネットワークの例では、マルチプレクサ５１２は、各ポートにより１つの波長のトラフィックだけを受け取る典型的なＮ×１マルチプレクサを有する。
【００２６】
フィルタ５１６は、マルチプレクサ５１５からλ１−λ４のトラフィックを受け取り、そのλ１−λ４のトラフィックをフィルタ５２２に通過させる任意の適切なフィルタを有する。アップストリーム方向では、フィルタ５１６はλｕのトラフィックを受け取り、そのλｕのトラフィックをレシーバ５１８に送る。レシーバ５１８は、時分割されたλｕで搬送されたＯＮＵ５５０からのアップストリームトラフィックを受け取って処理する任意の適切なレシーバである。
【００２７】
トランスミッタ５２０は、任意の適切なトランスミッタであり、最終的にすべてのＯＮＵ５５０にブロードキャストするために、λｖでトラフィックを送信する。トランスミッタ５２０は、さらにトラフィックをフィルタ５２２に送る（direct）する。ある実施形態では、トランスミッタ５２０はλｖでアナログビデオトラフィックを送信する。別の実施形態では、トランスミッタ５２０はデジタルデータトラフィックを送信してもよい。留意すべき点として、トランスミッタ５２０を１つだけ示したが、ＯＬＴ５１２は、最終的にすべてのＯＮＵ５５０にブロードキャストするために、トラフィックを送信するトランスミッタを任意の適切な数有していてもよい。
【００２８】
フィルタ５２２はλｖのトラフィックとλ１−λ４のトラフィックとを受け取り、これらを結合する。フィルタ５２２は結合したトラフィックをファイバ５３０を介してＲＮ５４０に送る。アップストリーム方向では、フィルタ５２２はλｕのトラフィックを受け取り、そのλｕのトラフィックをフィルタ５１６に送る。
【００２９】
光ファイバ５３０はアップストリームトラフィックとダウンストリームトラフィックを搬送する適当ないかなるファイバでもよい。あるＨＰＯＮ５００では、光ファイバ５３０は例えば双方向光ファイバである。他のＨＰＯＮ５００では、光ファイバ５３０は異なる２つのファイバを有する。一方はダウンストリームトラフィックを搬送し、他方はアップストリームトラフィックを搬送する。
【００３０】
ＲＮ５４０はフィルタ５４２と、マルチプレクサ５４６と、主パワースプリッタ５４８と、副パワースプリッタ５４９とを有する。ＲＮ５４０は、ＯＬＴ５１２からλ１−λ４とλｖのトラフィックを受け取り、λｖのトラフィックをフィルタしてブロードキャストし、λ１−λ４のトラフィックを逆多重（demultiplex）して、対応する波長共有ＯＮＵ５５０グループ内のＯＮＵに送る。ＲＮ５４０は、ＯＮＵ５５０から、時分割された波長λｕで搬送されたアップストリーム信号を受け取り、これらの信号を結合して、結合したトラフィックをλｕでＯＬＴ５１２に転送する。留意すべきこととして、ＲＮ５４０をリモートノード（remote  node）と呼ぶが、「リモート」とは、ＲＮ５４０が適当な空間的配置でＯＬＴ５１２及びＯＮＵ５５０と通信可能に結合していることを指す。リモートノードは一般的には分散ノード（distribution  node）とも呼ばれる。
【００３１】
フィルタ５４２は、λ１−λ４とλｖのトラフィックを含む信号を受け取り、λ１−λ４のトラフィックをマルチプレクサ５４６に通過させ、λｖのトラフィックを主パワースプリッタ５４８に送る任意の適切なフィルタを含む。図示した例のフィルタ５４２は、１つのフィルタのみを含むが、（光スイッチに結合した）任意の適切な数のフィルタを含んで、ネットワークのアップグレードを容易にしてもよい。アップストリーム方向では、フィルタ５４２はλｕのトラフィックを受信し、それをＯＬＴ５１２に送る（direct）。
【００３２】
マルチプレクサ５４６は任意の適切なマルチプレクサ／デマルチプレクサを有し（波長ルータであると考えてもよい）、λ１−λ４のトラフィックを含む信号を受け取って、その信号を逆多重してもよい。マルチプレクサ５４６の各出力ポートは、対応するλ１−λ４の１つのトラフィックを、対応する副パワースプリッタ５４９に送る。アップストリーム方向では、マルチプレクサ５４６はλｕのトラフィックを受け取りターミネイト（terminate）する。例示したＨＰＯＮ５００のＯＮＵ５５０はλｕを時分割（time-share）する（複数のアップストリーム波長を介してトラフィックを送信するのではない）からである。あるいは、マルチプレクサ５４６は、フィルタ５４２にこのトラフィックを転送し、好適にターミネイト（termination）させてもよい（ターミネイトの実行は内部的であっても外部的であってもよい）。
【００３３】
留意すべき点として、マルチプレクサ５４６は、サイクリックマルチプレクサ（cyclic  multiplexer）またはその他任意の適切なタイプのマルチプレクサを含み、任意の適切な数のポートを有していてもよい。また、図２のリモートノード５４０には１つのマルチプレクサ５４６を示したが、別のリモートノードでは、マルチプレクサ５４６は２つ以上の別個のマルチプレクサを有し、それぞれが（１つ以上の）アップストリーム信号原からのダウンストリーム信号を受信し、そのトラフィックをダウンストリームに転送し、ＯＮＵ５５０に波長を共有させるようにしてもよい。さらに留意すべき点として、各波長のトラフィックは例示したものとは異なる副パワースプリッタに通過してもよく、２つ以上の波長のトラフィックが副パワースプリッタに通過してもよく、マルチプレクサ５４６が４つ以上または以下のダウンストリーム波長のトラフィックを受信し、多重し、及び通してもよい。
【００３４】
プライマリパワースプリッタ５４８は、λｖのトラフィックを受け取り、そのトラフィックを４つのコピーに分岐する任意の適切なパワースプリッタを含む。各コピーのパワー（power）は、元の信号λｖのパワーの１／４以下である。主パワースプリッタ５４８は各コピーを対応する副パワースプリッタ５４９に送る。アップストリーム方向では、主パワースプリッタ５４８は、時分割されたλｕを介してＯＮＵ５５０が送信したトラフィックを副パワースプリッタ５４９から受け取り、このトラフィックを結合して１つの信号にする。主パワースプリッタ５４８はアップストリーム信号をＯＬＴ５１２に転送する。主パワースプリッタ５４８は、ダウンストリーム方向においてλｖのトラフィックをブロードキャスト（broadcast）し、アップストリーム方向において時分割されたλｕのトラフィックを結合する。主パワースプリッタ５４８は１×４パワースプリッタとして例示したが、任意の適切なパワースプリッタを使用できる。
【００３５】
各副パワースプリッタ５４９は、任意の適切なパワースプリッタ（例えば光カップラ等）を含み、主パワースプリッタ５４８からの信号とマルチプレクサ５４６からの信号とを受け取り、２つの信号を結合して１つの信号にし、結合された信号を適切な数のコピーに分岐し、波長を共有しているＯＮＵ５５０の対応するグループ内のＯＮＵに各コピーを送る。アップストリーム方向では、各副パワースプリッタ５４９は、対応するＯＮＵ５５０のグループの各ＯＮＵ５５０からλｕで送信されたトラフィックを受信し、各ＯＮＵ５５０からのトラフィックを結合して１つの信号にする。各副パワースプリッタ５４９は、結合されたアップストリームトラフィックを分岐して２つのコピーにし、１つのコピーを主パワースプリッタ５４８に転送し、もう１つのコピーをマルチプレクサ５４６に転送する。主パワースプリッタ５４８に転送されたコピーは、上記の通り、時分割されたλｕで送信された他のＯＮＵ５５０からのトラフィックと結合される。マルチプレクサ５４６に転送されたコピーは、適切なターミネイションをするため、ブロック（blocked）されるかフィルタ５４２に送られる。例示したＨＰＯＮ５００では、副パワースプリッタ５４９は２×４のカップラとして例示したが、任意の適切なカップラでもよく、カップラの組合せ（例えば、２つの１×２カップラに結合された２×２カップラ等）でもよい。副パワースプリッタ５４９が分岐または結合する信号の数は、任意の適切な数であってもよい。
【００３６】
各ＯＮＵ５５０は（ダウンストリーム端末の一例であるが）、任意の適切なＯＮＵまたはＯＮＴを含む。各ＯＮＵ５５０は、フィルタ５６０と、レシーバ５６２と、フィルタ５７０と、レシーバ５７２と、トランスミッタ５８２とを含む。各フィルタ５６０は、波長λｖのトラフィック（例えば、アナログビデオトラフィック）をレシーバ５６２に送る任意の適切なフィルタを含む。フィルタ５６０は、ＯＮＵ５５０が受け取ったλ１−λ４のうちの対応する波長のトラフィックを、フィルタ５７０に送り、アップストリーム方向では、λｕのトラフィックをＲＮ５４０に通過させる。レシーバ５６２はλｖで送信されたトラフィックを受け取り、そのトラフィックを処理する任意の適切なレシーバを含む。各フィルタ５７０は、λ１−λ４のうちの対応する波長のトラフィックを受け取り、それをレシーバ５７２に送る任意の適切なフィルタを含む。フィルタ５７０は、さらに、アップストリーム方向において、アップストリーム波長λｕのトラフィックを対応するフィルタ５６０に通す。レシーバ５７２はλ１−λ４のうちの対応する波長で送信されたトラフィックを受け取り、そのトラフィックを処理する任意の適切なレシーバを含む。レシーバ５７２は、λ１−λ４のうちの任意の波長のトラフィックを受け取るので、柔軟にＯＮＵ５５０を波長共有グループに割り当てられる。各トランスミッタ５８２は、他のＯＮＵ５５０と時分割したλｕに適切なプロトコルを用いて、アップストリーム方向においてλｕでトラフィックを送信する任意の適切なトランスミッタを含む。
【００３７】
留意すべきことは、４つのＯＮＵ５５０をＨＰＯＮ５００におけるＯＮＵのグループの一部として例示したが、ダウンストリーム波長を共有するグループの一部であるＯＮＵ５５０の数は好適ないくつの数であってもよい。また、各々が相異なるダウンストリーム波長を共有する複数のグループがあってもよい。例えば、ＯＮＵ５５０ａはλ１を共有し、ＯＮＵ５５０ｂ（図示せず）はλ２を共有し、ＯＮＵ５５０ｃ（図示せず）はλ３を共有し、ＯＮＵ５５０ｄはλ４を共有してもよい。また、ネットワークによっては、ＯＮＵ５５０が２つ以上のグループに含まれていてもよい。留意すべきこととして、適当な数であればいくつのＯＮＵ５５０がネットワークにあってもよい。
【００３８】
さらに留意すべき点として、ＯＮＵ５５０は、別のアップグレードにおいては、ＯＬＴ５１２のトランスミッタ５１４に対応するレシーバが受信する複数の波長（ＲＮ５４０のＰＳ５４８が結合してもよい）でトラフィックを送信するように調整してもよい（この場合、フィルタ５１６をラインから除いても除かなくてもよい）。別のアップグレードにおいて、波長を共有するＯＮＵ５５０の各グループは、別の波長でアップストリームトラフィックを送信してもよく、ＲＮ５４０のマルチプレクサ５４６はこれらの波長を多重化し、ＯＬＴ５１２においてトランスミッタ５１４に対応するレシーバがこれらの波長のトラフィックを受け取ってもよい。
【００３９】
動作中、ＯＬＴ５１２のトランスミッタ５１４ａ−５１４ｄはλ１−λ４のトラフィックをそれぞれ送信し、そのトラフィックをマルチプレクサ５１５に送る。マルチプレクサ５１５は、例えばサイクリックマルチプレクサ（cyclic  multiplexer）であってもよいが、４つの波長のトラフィックを結合して１つの信号にして、その信号をフィルタ５１６に送る。フィルタ５１６はダウンストリーム信号をフィルタ５２２に通す。ＯＬＴ５１２のトランスミッタ５２０は、λｖでトラフィックを送信し、そのトラフィックをフィルタ５２２に送る。フィルタ５２２はλ１−λ４とλｖのトラフィックを受け取り、そのトラフィックを光ファイバ５３０を介してＲＮ５４０に送る。
【００４０】
ＲＮ５４０のフィルタ５４２は、信号を受け取り、波長λｖのトラフィック（例えば、アナログビデオ）を主パワースプリッタ５４８に送り、λ１−λ４のトラフィックをマルチプレクサ５４６に通す。主パワースプリッタ５４８はλｖのトラフィックを受け取り、それを適切な数のコピーに分岐する。例示した実施形態では、主パワースプリッタ５４８はλｖのトラフィックを分岐して４つのコピーにして、各コピーを対応する副パワースプリッタ５４９に転送する。マルチプレクサ５４６は、λ１−λ４のトラフィックを含む信号を受信して、その信号をその構成波長に逆多重（demultiplex）する。マルチプレクサ５４６は、各波長のトラフィックを対応するファイバで送り、各副パワースプリッタ５４９がλ１−λ４の対応する波長でそのトラフィックを受信するようにする。
【００４１】
このように、各副パワースプリッタ５４９は主パワースプリッタ５４８からλｖのトラフィックのコピーを受け取り、マルチプレクサ５４６からλ１−λ４のうちの対応する波長のトラフィックを受け取り、これらのトラフィックを結合して１つの信号とし、その信号を分岐して適切な数のコピーにする。例示した実施形態では、各副パワースプリッタ５４９は信号を４つのコピーに分岐（split）する。このように、波長λｖのトラフィック（例えば、アナログビデオ）をすべてのＯＮＵ５５０にブロードキャストし、λ１−λ４のうちの対応する波長をＯＮＵ５５０の１つ以上のグループに送信して共有する。例示した実施形態では、ＯＮＵ５５０ａはλ１を共有し、ＯＮＵ５５０ｂ（図示せず）はλ２を共有し、ＯＮＵ５５０ｃ（図示せず）はλ３を共有し、ＯＮＵ５５０ｄはλ４を共有する。留意すべきこととして、波長を共有しているＯＮＵ５５０のグループは、図２に示したものとは異なり、別のネットワークでは、波長を共有しているＯＮＵ５５０のグループが２つ以上のＷＤＭ波長を共有してもよい。
【００４２】
副パワースプリッタ５４９は、λ１−λ４のうちの対応する波長のトラフィックとλｖのトラフィックとを含む信号を４つのコピーに分岐した後、各コピーをファイバ５３０で転送し、副パワースプリッタ５４９に結合されているＯＮＵ５５０がコピーを受け取るようにする。各ＯＮＵ５５０のフィルタ５６０は信号を受け取り、λｖのトラフィックをレシーバ５６２に送る。レシーバ５６２はλｖで搬送されたトラフィックを処理する。フィルタ５６０はλ１−λ４のうちの対応する波長をフィルタ５７０に通す。フィルタ５７０はλ１−λ４のうちの対応する波長のトラフィックを受け取り、そのトラフィックをレシーバ５７２に送る。レシーバ５７２はそのトラフィックを処理する。再度、グループ内の各ＯＮＵ５５０はそのグループ内の他のＯＮＵ５５０とλ１−λ４のうちの波長を共有しているので、ＯＮＵ５５０は適切なアドレッシングプロトコル（addressing  protocol）を適用して、ダウンストリームトラフィックを適切に処理する（例えば、対応する波長で送信されたトラフィックの一部がグループ内のどのＯＮＵ５５０に宛てられたものか判断する）。
【００４３】
アップストリーム方向では、各ＯＮＵ５５０のトランスミッタ５８２はλｕでトラフィックを送信する。フィルタ５７０と５６０はλｕのトラフィックを受け取り、それを通過させる。その信号はファイバ５３０を介してＲＮ５４０に進む。ＲＮ５４０の各副パワースプリッタ５４９は、時分割されたλｕを介してトラフィックを受け取り、対応するＯＮＵ５５０のグループ内の各ＯＮＵ５５０からのトラフィックを結合する。再度、各ＯＮＵ５５０はアップストリーム波長λｕを介してトラフィックを送信するので、ＯＮＵ５５０はλｕを時分割する適切なプロトコルを使い、複数のＯＮＵ５５０からのトラフィックが衝突しないようにする。各副パワースプリッタ５４９は、λｕのトラフィックを受け取り結合して１つの信号にした後、その信号を分岐して２つのコピーにし、一方のコピーをマルチプレクサ５４６に送り、もう一方のコピーを主パワースプリッタ５４８に送る。上記の通り、例示したネットワーク５００のマルチプレクサ５４６は、λｕをブロックし、またはλｕをフィルタ５４２に転送し、適切にターミネイション（termination）させる。主パワースプリッタ５４８は、各副パワースプリッタ５４９からのλｕのトラフィックを受信し、そのトラフィックを結合して、フィルタ５４２に転送する。フィルタ５４２は、結合されたλｕのトラフィックを受信し、そのトラフィックをＯＬＴ５１２に送る（direct）。ファイバ５３０はλｕのトラフィックをＯＬＴ５１２のフィルタ５２２に送る。フィルタ５２２は、λｕのトラフィックを受け取り、そのトラフィックをフィルタ５１６に通す。フィルタ５１６は、λｕのトラフィックを受け取り、そのトラフィックをレシーバ５１８に送る（direct）。レシーバ５１８はその信号を受け取り、それを処理する。
【００４４】
本発明の範囲から逸脱することなく、上記の例示したＨＰＯＮ５００に修正、追加、または削除をすることができる。上記の例示したＨＰＯＮ５００のコンポーネントは具体的な必要性に応じて一体化されたり、分離されたりしてもよい。さらに、上記の例示したＨＰＯＮ５００の動作を実行するコンポーネントの数は多くても少なくてもよいし、他のコンポーネントで実行してもよい。単なる例として、別のネットワークにはＲＮに適切に結合されたＯＬＴからの冗長ラインを含めてもよく、ＲＮが任意の適切な数の出力をＯＮＵに供給して、任意の適切な数の波長ルータ（wavelength  routers）をＲＮに追加して（ネットワークを適切に変更して）もよい。
【００４５】
図３は、本発明の一実施形態による２つのアップストリーム通信アーキテクチャをサポートするＰＯＮ６００の一例を示す図である。具体的な実施形態では、例示したＰＯＮ６００は、レガシーＯＮＵ６５０がレガシー（legacy）な波長帯域またはチャネルで送信を行うレガシーアップストリーム通信アーキテクチャをサポートしていてもよい。また、例示したＰＯＮ６００は、アップグレードされた各ＯＮＵ６６０が、レガシーな波長帯域またはチャネルと重なっている新しい波長帯域またはチャネルのセットのうちの一方で送信を行うアップグレードされたアップストリーム通信アーキテクチャをサポートしていてもよい。別の実施形態では、例示したＰＯＮ６００は、最初から前記２つのアップストリーム通信アーキテクチャをサポートするように設計されてもよく、アップグレードの結果である必要はない。いずれの場合にも、ＰＯＮ６００は、２つのアップストリーム通信アーキテクチャに、アップストリーム通信用に相異なる時間スロットを割り当てることにより、相異なる２つのコンフリクトし得るアップストリーム通信アーキテクチャをサポートする。留意すべき点として、具体的な実施形態では、例えば、トラフィックが衝突する可能性がないか、アーキテクチャ間のクロストークが十分低い場合、２つのアップストリーム通信アーキテクチャにおいて、重ならない波長帯域を時間スロットの境界をこえて連続的に使ってもよい（operated）。
【００４６】
具体的な実施形態では、ＰＯＮ６００はＰＳＰＯＮまたはＨＰＯＮのアップストリーム容量をアップグレードしたものである。例えば、ＰＯＮ６００は、上記の図１のＰＳＰＯＮ１０または図２のＨＰＯＮ５００をアップグレードしたものであり、ＯＬＴと、ＰＳＰＯＮ１０またはＨＰＯＮ５００のＯＮＵの一部のみがアップグレードされている。このように、ＯＮＵ６５０は引き続き時分割されたλｕ帯域またはチャネルで送信し、ＯＮＵ６６０はアップグレードされたＯＮＵであり、（場合によっては時分割された）ＷＤＭ波長帯域またはチャネルλ１−λ４で送信する。λ１−λ４の１つ以上の波長はλｕと重なってもよい。かかる重なりにより、２つのアップストリーム通信アーキテクチャはコンフリクトすることがある。これについて、以下にさらに説明する。
【００４７】
留意すべき点として、第１の通信アーキテクチャについて１つのアップストリーム波長λｕを例示し、第２の通信アーキテクチャについて４つのアップストリーム波長λ１−λ４を例示したが、各通信アーキテクチャは任意の適切な数のアップストリーム波長で通信することができる。また、留意すべき点として、実施形態によっては、図３のλ１−λ４は図２のλ１−λ４と異なってもよい。別の実施形態では、図３のλ１−λ４は図２のλ１−λ４と同じであってもよい。
【００４８】
単なる例として、一部の実施形態では、ＰＯＮ６００のＯＮＵ６５０は、「ＧＰＯＮ」ＩＴＵ−Ｔ  Ｇ．９８４標準に基づき、１３１０ｎｍ＋／−５０ｎｍのλｕ帯域またはチャネルで送信するレガシーＧＰＯＮまたはＨＧＰＯＮのＯＮＵを含む。この標準は、中心波長１３１０ｎｍの１００ｎｍ帯域をアップストリーム通信に割り当てている。このように、通信が１００ｎｍ帯域またはチャネル内にあることを前提として、かかるＰＯＮのために生産されたＯＮＵは厳密に１３１０ｎｍを中心として送信する必要はないし（例えば、中心波長約１３２０ｎｍの副帯域で送信してもよい）、送信する波長帯域は厳密である必要もない（例えば、温度により変動する副帯域で送信してもよい）。このように、ＯＮＵ６５０は、これらの一部の実施形態において、Ｇ．９８４標準で規定された１００ｎｍ帯域またはチャネルλｕ内の任意の副帯域（sub-band）で送信できる。ＯＬＴ６１２のレガシーレシーバ６１８は時分割されたλｕのトラフィックを受け取り、処理することができる。これらのネットワークコンポーネントは第１のアップストリーム通信アーキテクチャを含む。
【００４９】
例示したこれらの実施形態において、ＰＯＮ６００のアップグレードされた各ＯＮＵ６６０は、λ１−λ４のうちの一波長で送信し、λ１−λ４はＧ．９８４標準が規定した１００ｎｍ帯域の一定の重ならない副帯域を含む。このように、各ＯＮＵ６６０は１００ｎｍ帯域のある一定の副帯域で正確に精度よく送信することができる。単なる例として、アップグレードされた各ＯＮＵ６６０は、一部の実施形態では、１２７１ｎｍ、１２９１ｎｍ、１３１０ｎｍ、及び１３３１ｎｍを中心周波数とする４つの２０ｎｍ副帯域の１つで送信することができる。ＯＬＴ６１２の新しいレシーバ６２２は、（場合によっては時分割されている）λ１−λ４のトラフィックを受け取り、処理する。これらのネットワークコンポーネントは第２のアップストリーム通信アーキテクチャを含む。
【００５０】
上記の例示した実施形態から分かるように、レガシーアップストリーム通信アーキテクチャとアップグレードされた通信アーキテクチャはコンフリクトする。ＯＮＵ６５０がＯＮＵ６６０と同時に送信すると、トラフィックの衝突が発生するであろう。以下に詳しく説明するように、ＰＯＮ６００は、２つのアップストリーム通信アーキテクチャに、アップストリーム通信用に相異なる時間スロットを割り当てることにより、２つのコンフリクトするアップストリーム通信アーキテクチャをサポートできる。このように、例えば、ある時間スロットをＯＮＵ６５０によるλｕのアップストリーム送信に割り当て、ある時間スロットをＯＮＵ６６０によるλ１−λ４のうちの一波長のアップストリーム送信に割り当てることができる。
【００５１】
留意すべき点として、実施形態に応じて、ＯＮＵ６５０はそのＯＮＵ６５０に割り当てられた時間スロットでλｕの送信を時分割し、ＯＮＵ６６０はそれに割り当てられた時間スロットでλ１−λ４のうちの一波長の送信を時分割できる。別の実施形態では、アップグレードされたＯＮＵ６６０の数をＷＤＭ波長λ１−λ４の数に一致させ、アップグレードされたＯＮＵ６６０のみがλ１−λ４のうちの一波長で送信するようにする。さらに留意すべき点として、例示したＰＯＮ６００は、アップストリーム帯域幅をアップグレードするとして説明したが、最初から上記２つのアップストリーム通信アーキテクチャをサポートするよう設計し、アップグレードの結果であるとする必要はない。また、ＰＯＮ６００は、例示を目的としてＧＰＯＮまたはハイブリッドＧＰＯＮ（ＨＧＰＯＮ）を含むとして説明するが、任意の適切なＰＯＮを含んでもよく、例えば、ＡＰＯＮやハイブリッドＡＰＯＮ（ＨＡＰＯＮ）、ＢＰＯＮやハイブリッドＢＰＯＮ（ＨＢＰＯＮ）、ＥＰＯＮやハイブリッドＥＰＯＮ（ＨＥＰＯＮ）、ＧＥＰＯＮやハイブリッドＧＥＰＯＮ（ＨＧＥＰＯＮ）を含んでもよい。
【００５２】
ＰＯＮ６００はＯＬＴ６１２と、ファイバ６３０と、ＲＮ６４０と、複数のＯＮＵ６５０、６６０とを含む。ＯＬＴ６１２は、トランスミッタ６１４と、フィルタ６１６と、スプリッタ６１７と、レシーバ６１８と、デマルチプレクサ６２０と、レシーバ６２２ａ−６２２ｄとを含む。ＰＳＰＯＮ１０とＨＰＯＮ５００に関連して上で説明したＯＬＴと同様に、ＯＬＴ６１２はアップストリーム端末の一例であり、キャリアの施設にあり、より大きな通信ネットワークに結合されている。
【００５３】
トランスミッタ６１４はダウンストリームトラフィックを送信する１つ以上のトランスミッタを含む。ＰＳＰＯＮでは、トランスミッタ６１４は、例えば、図１に関連して上で説明したトランスミッタなどの任意の適切なＰＳＰＯＮトランスミッタを含む。ＨＰＯＮでは、トランスミッタ６１４は、例えば、図２に関連して上で説明したトランスミッタなどの任意の適切なＨＰＯＮトランスミッタを含む。ＰＯＮによっては上で説明したように、トランスミッタ６１４はブロードキャスト波長、共有波長、及び／または専用波長で送信をしてもよい。フィルタ６１６は、ＯＮＵ６５０やＯＮＵ６６０からのλｕまたはλ１−λ４のアップストリームトラフィックをスプリッタ６１７に送り、トランスミッタ６１４からのダウンストリームトラフィック（図示せず）をＲＮ６４０に送る。
【００５４】
スプリッタ６１７は、レシーバ６１８とマルチプレクサ６２０をＰＯＮ６００のその他の部分と結合するように構成された任意の適切なスプリッタを含む。スプリッタ６１８はＯＮＵ６５０またはＯＮＵ６６０からのλｕまたはλ１−λ４のアップストリームトラフィックを受け取り、そのトラフィックを２つのコピーに分岐し、一方のコピーをレシーバ６１８に転送し、もう一方のコピーをマルチプレクサ６１８に転送する。レガシー（legacy）ＯＮＵ時間スロットの場合、レシーバ６１８が受け取ったトラフィックを処理するアップストリームコンポーネントが受け取ったトラフィックを処理し、レシーバ６２２が受け取ったトラフィックを処理するアップストリームコンポーネントは受け取ったトラフィックを無視してもよい。アップグレードされたＯＮＵ時間スロットの場合、レシーバ６１８が受け取ったトラフィックを処理するアップストリームコンポーネントは、受け取ったトラフィックを無視し、レシーバ６２２が受け取ったトラフィックを処理するアップストリームコンポーネントが、受け取ったトラフィックを処理してもよい。
【００５５】
留意すべき点として、実施形態によっては、光プリアンプをＰＯＮ（例えば、ＯＬＴ６１２に）に挿入してアップストリームトラフィックを増幅してもよい。例えば、光プリアンプを例示した実施形態のフィルタ６１６とスプリッタ６１７の間に挿入してもよい。プリアンプはスプリッタ６１８で生じるスプリッタ損失を補償するように動作する。プリアンプは、例えば、レシーバ６１８の感度を図１のレシーバ１８の感度と同じに維持して、アップストリームレシーバの感度を維持するように動作可能である。一部の実施形態では、スプリッタ６１８はパワースプリット比（power  splitting  ratio）に不均衡を生じさせるように設計された非対称スプリッタを含んでいてもよい。実施形態に応じて、パワー分岐比率（power  splitting  ratio）が不均衡になるように設計して、その結果、すべてのアップストリームレシーバのレシーバの感度が等しくしてもよい。
【００５６】
実施形態に応じて、スプリッタ６１７をスイッチと置き換えてもよい。かかる実施形態では、そのスイッチは、時間スロットに割り当てられているアップストリーム通信アーキテクチャに基づき、アップストリームトラフィックをレシーバ６１８またはマルチプレクサ６２０に選択的に送るように構成された任意の適切なコンポーネントを含む。例えば、そのスイッチは、λｕのトラフィックを受け取ったとき、レシーバ６１８をＰＯＮ６００のその他の部分と結合し、λ１−λ４のトラフィックを受け取ったとき、マルチプレクサ６２０をＰＯＮ６００のその他の部分と結合する。任意の適切な方法（例えば、所定の方法、一定の方法、または動的な方法）で適切な時間に適切なアップストリームコンポーネントを結合するようにスイッチを制御する。
【００５７】
レシーバ６１８は、一波長帯域のアップストリームトラフィックを受け取り、そのトラフィックを処理するように構成された任意の適切なレシーバを含む。例えば、例示した実施形態では、レシーバ６１８は、レガシー（legacy）レシーバでもよいが、レガシーＯＮＵ６５０から時分割されたλｕのアップストリームトラフィックを受け取り、適切に処理するためにそのトラフィックをアップストリームに転送するように構成されていてもよい。実施形態に応じて、レシーバ６１８は図１のレシーバ１８または図２のレシーバ５１８と同じものであってもよい。
【００５８】
デマルチプレクサ６２０は、複数の波長のアップストリームトラフィックを受け取り、それを構成している波長を逆多重（demultiplex）し、各波長のトラフィックを対応するレシーバ（６２２ａ−６２２ｄのうちの１つ）に転送するように構成された任意の適切なデマルチプレクサ（demultiplexer）を含む。例示した実施形態では、デマルチプレクサ６２０は、ＯＮＵ６６０からλ１−λ４のアップストリームトラフィックを受け取り、そのトラフィックをそれを構成する４つの波長に逆多重し、各波長のトラフィックを適切なレシーバ（６２２ａ−６２２ｄのうちの１つ）に転送する。例えば、λ１のトラフィックをレシーバ６２２ａに転送し、λ２のトラフィックをレシーバ６２２ｂに転送し、λ３のトラフィックをレシーバ６２２ｃに転送し、λ４のトラフィックをレシーバ６２２ｄに転送する。例示したように、デマルチプレクサ６２０は、１つの波長のトラフィックを各出力ポートを介して転送するように構成された一般的な１×Ｎデマルチプレクサを含む。別の実施形態では、デマルチプレクサ６２０はサイクリックデマルチプレクサ（cyclic  demultiplexer）を含む。
【００５９】
レシーバ６２２ａ−６２２ｄは、各々が一波長帯域のアップストリームトラフィックを受け取り、そのトラフィックを処理する任意の適切なレシーバを含む。例示した実施形態では、レシーバ６２２ａ−６２２ｄは、それぞれλ１−λ４のトラフィックを受け取り、処理する。一部の実施形態では、λ１−λ４は上述の通りλｕの副帯域（sub-bands）を含む。
【００６０】
留意すべき点として、レシーバ６２２ａ−６２２ｄはＯＬＴ６１２のトランシーバの一部であってもよく、例えば、対応するトランスミッタがＨＰＯＮでダウンストリーム（downstream）にＷＤＭトラフィックを送信してもよい（このように、実際にはデマルチプレクサ６２０とレシーバ６２２がトランスミッタ６１４と一体になっていてもよい）。また、留意すべき点として、アップストリーム方向のλ１−λ４は、（図２を参照して上で説明した）ダウンストリーム方向のλ１−λ４と同じであっても同じでなくてもよい。さらに留意すべき点として、アップグレードされた通信アーキテクチャでは任意の適切な数（必ずしも４ではない）のアップストリーム波長を使用し、ＯＬＴ６１２で任意の適切な数の対応するレシーバを使用してこれらの波長のトラフィックを受け取ってもよい。
【００６１】
光ファイバ６３０はアップストリームトラフィックとダウンストリームトラフィックを搬送する適当ないかなるファイバでもよい。一部の実施形態では、光ファイバ６３０は例えば双方向光ファイバを含む。他の実施形態では、光ファイバ６３０は相異なる２つのファイバを含み、一方はダウンストリームトラフィックを搬送し、他方はアップストリームトラフィックを搬送する。
【００６２】
ＲＮ６４０はＰＳＰＯＮ、ＨＰＯＮ、またはその他のＰＯＮの任意の適切なリモートノードを含んでもよい。一部の実施形態では、ＰＳＰＯＮまたはＨＰＯＮにおけるアップストリームのアップグレード（upgrade）では、アップグレードされるＰＳＰＯＮまたはＨＰＯＮのＲＮを修正する必要はない。これらの実施形態では、例えば、ダウンストリームトラフィックのルーティングは変更しない。また、レガシーＯＮＵ時間スロットでは、アップストリームトラフィックのルーティングを変更しなくてもよい（例えば、ＲＮの主パワースプリッタは引き続き時分割されたλｕのトラフィックを受け取り、結合できる）。アップグレードされたＯＮＵ時間スロットの場合、アップストリームトラフィックのルーティングを変更し、仮に変更したとしても、例えば、ＲＮの主パワースプリッタが受け取り結合する波長（例えば、λｕ全部ではなく、λｕの複数かつ一定の副帯域）のタイプの数とタイプのみを変更すればよい。別の実施形態では、ＲＮ６４０はＯＮＵ６５０とＯＮＵ６６０が送信するアップストリームトラフィックをＯＬＴ６１２に他の任意の適切な方法で転送してもよい。
【００６３】
一部の実施形態では、ＲＮ６４０は図１を参照して上で説明したＲＮ４０を含む。別の実施形態では、ＲＮ６４０は図２を参照して上で説明したＲＮ５４０を含む。いずれの場合にも、一部の実施形態では、レガシーＯＮＵ時間スロットにおいて、ＲＮ６４０の主パワースプリッタがλｕのトラフィックを受け取り、受け取ったトラフィックを結合し、それをＯＬＴ６１２に転送する。アップグレードされたＯＮＵ時間スロットにおいて、ＲＮ６４０の主パワースプリッタがλ１−λ４のトラフィックを受け取り、受け取ったトラフィックを結合し、それをＯＬＴ６１２に転送する。ＲＮ６４０はＯＬＴ６１２からのダウンストリームトラフィックをＯＮＵ６４０と６６０に任意の適切な方法で転送する。
【００６４】
ある通信アーキテクチャでは、各ＯＮＵ６５０は、任意の適切な方法でＯＬＴ６１２からのダウンストリームトラフィックを受け取り、処理し、アップストリームトラフィックをＯＬＴ６１２に送信する任意の適切な装置（device）を含む。例示した実施形態では、各ＯＮＵ６５０はλｕの送信を他のＯＮＵ６５０と時分割する。ここで、λｕはＧ．９８４標準が規定する１００ｎｍ帯域を含んでいる。ＯＮＵ６５０は、アップストリーム送信のためにＯＮＵ６５０に割り当てられた時間スロットの間でのみ、λｕの送信（transmission）を時分割する。アップグレードされたＯＮＵ時間スロットでは、ＯＮＵ６５０は（アップグレードされたＯＮＵ６６０が送信するトラフィックとの衝突を避けるため）アップストリームトラフィックを送信しない。一部の実施形態では、ＯＮＵ６５０は、レガシーＯＮＵ時間スロットの間のみに送信することを前提に、上記のＯＮＵ５０及び５５０と同じものであってもよい。一部の実施形態では、レガシーＯＮＵ時間スロットとアップグレードＯＮＵ時間スロット（upgraded  ONU  time-slots）はＯＬＴ６１２が予め決定する。別の実施形態では、レガシーＯＮＵ時間スロットとアップグレードＯＮＵ時間スロット（upgraded  ONU  time-slots）はその他の適切な方法で決定する。留意すべき点として、任意の適切な数のＯＮＵ６５０がＰＯＮ６００の一部であってもよい。一部の実施形態では、ＯＮＵ６５０は、アップストリーム容量のアップグレードを望まないユーザが使用してもよい。
【００６５】
ＯＮＵ６５０が使用するものとは違う通信アーキテクチャでは、各ＯＮＵ６６０は、任意の適切な方法でＯＬＴ６１２からのダウンストリームトラフィックを受け取り、処理し、アップストリームトラフィックをＯＬＴ６１２に送信する任意の適切な装置（device）を含む。例示した実施形態では、ＯＮＵ６６０は、λ１−λ４でアップストリームトラフィックを送信する。これらの波長は、Ｇ．９８４標準が規定した１００ｎｍ帯域の固定され重なり合わない副帯域を含む。一部の実施形態では、λ１で送信するＯＮＵ６６０はその波長の送信を時分割し、λ２で送信するＯＮＵ６６０はその波長の送信を時分割し、λ３で送信するＯＮＵ６６０はその波長の送信を時分割し、λ４で送信するＯＮＵ６６０はその波長の送信を時分割する。別の実施形態では、単一のＯＮＵ６６０がλ１−λ４のうちの一波長で送信する（これらの波長をＯＮＵ６６０が時分割する必要はない）。留意すべき点として、ＯＮＵ６６０は、アップストリーム送信のためにＯＮＵ６６０に割り当てられた時間スロットの間にのみ、λ１−λ４で送信してもよい。レガシーＯＮＵ時間スロットでは、ＯＮＵ６６０は（レガシーＯＮＵ６５０が送信するトラフィックとの衝突を避けるため）アップストリームトラフィックを送信しない。また、一部の実施形態では、ＯＮＵ６６０は一定波長（λ１−λ４のうちの１つ）で送信してもよい。別の実施形態では、ＯＮＵ６６０は波長設定可能（tunable）であり、設定したある波長で送信できる。さらに留意すべき点として、一部の実施形態では、各ＯＮＵ６５０または６６０は、ネットワーク中の任意の適切な場所に設置できる（この点は図３には必ずしも例示していない）。
【００６６】
図から分かるように、ＰＯＮ６００では、２つのアップストリーム通信アーキテクチャの間で送信を時分割することにより、２つのアーキテクチャがサポートされている。このように、ネットワークオペレータは、パッシブオプティカルネットワーク（ＰＯＮ）において容量を柔軟にアップグレードできる。一部の実施形態では、ネットワークオペレータは、例えば、アップグレードされたアップストリーム通信アーキテクチャが、同じ時間スロットの間に使用されて、既存のアップストリーム通信アーキテクチャとコンフリクトしても、一部のＯＮＵのアップストリーム容量をアップグレードし、他のＯＮＵの既存のアップストリーム容量をそのまま維持できる。また、この相異なる２つのアップストリーム通信アーキテクチャをサポートするのに、比較的コストはかからない。一部の実施形態では、この２つのアーキテクチャをサポートするために追加するコンポーネントは（アップグレードされたＯＮＵ６６０と、マルチプレクサ６２０と、レシーバ６２２以外には）スプリッタ（またはスイッチ）６１７だけである。
【００６７】
パッシブオプティカルネットワーク（ＰＯＮ）における容量のアップグレードを柔軟にすることにより、一部の実施形態では、ネットワークオペレータはより大きな帯域幅に対する需要をよりよく満たすことができる。多くのネットワークオペレータの場合、より大きな帯域幅に対する需要をよりよく満たすことにより、効率的にアップグレードをできる。少数の比較的コストがかからないコンポーネントを使用して通信アーキテクチャをサポートできるので、一部の実施形態がより魅力的になる。また、ネットワークオペレータは、一部のユーザにより大きな容量にアップグレードさせ、他のユーザに既存の容量のままに留まらせることにより、ユーザの満足度を高められる利益がある。
【００６８】
動作中、ＰＳＰＯＮまたはＨＰＯＮのいずれかにおいて、ダウンストリームトラフィックを、図１と図２を参照して説明したように送信してもよい。一部の実施形態では、ＯＬＴ６１２のトランスミッタ６１４は、ＰＯＮのタイプに応じて、ブロードキャスト波長、共有波長、及び／または専用波長の送信トラフィックを送信してもよい。フィルタ６１６は送信されたダウンストリームトラフィックを受け取り、そのトラフィックを光ファイバ６３０を介してＲＮ６４０に送る。ＲＮ６４０はダウンストリームトラフィックを、（ＰＯＮのタイプに応じた）任意の適切な方法で各ＯＮＵ６５０と６６０に配信（distribute）できる。各ＯＮＵ６５０と６６０はＲＮ６４０からダウンストリームトラフィックを受け取り、そのトラフィックを任意の適切な方法で処理する。
【００６９】
アップストリーム方向では、レガシーＯＮＵ時間スロットにおいて、ＯＮＵ６５０は任意の適切な方法でλｕの送信を時分割できる。アップグレードされたＯＮＵ時間スロットにおいて、ＯＮＵ６６０はλ１−λ４で送信でき、一部の実施形態では、一部のＯＮＵ６６０は任意の適切な通信プロトコルを用いて（例示したように）これらの波長のうちの一波長の送信を時分割し、アップストリームトラフィックの衝突を回避することができる。レガシーＯＮＵ時間スロットでＯＮＵ６５０が送信するアップストリームトラフィックと、アップグレードＯＮＵ時間スロットでＯＮＵ６６０が送信するトラフィックとは、ＲＮ６４０に転送される。レガシーＯＮＵ時間スロットの間にＯＮＵ６５０が送信するトラフィックの場合、ＲＮ６４０がアップストリームトラフィックを受け取り、受け取ったトラフィックを結合し、結合したトラフィックをＯＬＴ６１２に転送する。アップグレードＯＮＵ時間スロットの間にＯＮＵ６６０が送信するトラフィックの場合、ＲＮ６４０がアップストリームトラフィックを受け取り、受け取ったトラフィックを結合し、結合したトラフィックをＯＬＴ６１２に転送する。
【００７０】
ＯＬＴ６１２において、フィルタ６１６は、（レガシーＯＮＵ時間スロットの場合）λｕのアップストリームトラフィックを受け取り、または（アップグレードＯＮＵ時間スロットの場合）λ１−λ４のアップストリームトラフィックを受け取り、これらのトラフィックをスプリッタ６１７に送る。スプリッタ６１８はλｕまたはλ１−λ４のアップストリームトラフィックを受け取り、そのトラフィックを２つのコピーに分岐し、一方のコピーをレシーバ６１８に転送し、もう一方のコピーをマルチプレクサ６１８に転送する。レガシー（legacy）ＯＮＵ時間スロットの場合、レシーバ６１８が受け取ったトラフィックを処理するアップストリームコンポーネントが受け取ったトラフィックを処理し、マルチプレクサ６１８を介してレシーバ６２２が受け取った任意のトラフィックを処理するアップストリームコンポーネントは受け取ったトラフィックを無視してもよい。アップグレードされたＯＮＵ時間スロットの場合、レシーバ６１８が受け取ったトラフィックを処理するアップストリームコンポーネントは、受け取ったトラフィックを無視し、マルチプレクサ６１８を介してレシーバ６２２が受け取ったトラフィックを処理するアップストリームコンポーネントが、受け取ったトラフィックを処理してもよい。留意すべき点として、一部の実施形態では、カップラ６１７をスイッチと置き換えてもよい。そのスイッチは、レガシーＯＮＵ時間スロットの場合、λｕのアップストリームトラフィックをレシーバ６１８に送るように選択的に切り換えられ、アップグレードＯＮＵ時間スロットの場合、λ１−λ４のアップストリームトラフィックをデマルチプレクサ６２０に送るように選択的に切り換えられるものである。
【００７１】
留意すべき点として、ＰＯＮ６００がサポートする２つの通信アーキテクチャは、λｕでトラフィックを送信する第１の通信アーキテクチャと、λ１−λ４でトラフィックを送信する第２の通信アーキテクチャとを含むが、ＰＯＮ６００は任意の適切な通信アーキテクチャをサポートできる。例えば、一部の実施形態では、第１の通信アーキテクチャはより多くの波長でトラフィックを送信し、第２の通信アーキテクチャはより多くの波長またはより少ない波長でトラフィックを送信する。また、一部の実施形態では、第１の通信アーキテクチャは第２の通信アーキテクチャとは異なるビットレートでトラフィックを送信する。相異なるビットレートで送信するには、一部の実施形態では、その２つの通信アーキテクチャが送信を時分割する必要がある。さらに留意すべき点として、ＰＯＮ６００は２つの通信アーキテクチャのみをサポートするが、別の実施形態では、３つ以上の通信アーキテクチャをサポートしてもよい。また、一部の実施形態では、相異なる通信アーキテクチャにおいて２つの帯域が重なっており、トランスミッタが重なった帯域内で動作できる場合、そのトランスミッタは、その相異なる通信アーキテクチャでトラフィックを送信することができる。あるいは、トランスミッタは、波長調節可能であり各通信アーキテクチャの帯域で送信するように再構成できるようにすることにより、相異なる通信アーキテクチャでトラフィックを送信できる。
【００７２】
本発明の範囲から逸脱することなく、上記の例示したシステムと方法に修正、追加、または削除をすることができる。上記の例示した方法とシステムのコンポーネントは具体的な必要性に応じて一体化されたり、分離されたりしてもよい。さらに、上記の例示した方法とシステムの動作を実行するコンポーネントの数は多くても少なくてもよいし、他のコンポーネントで実行してもよい。
【００７３】
図４は、本発明の一実施形態による、図３のＰＯＮ６００の一例で時間スロット７００におけるアップストリーム送信を示す図である。最初の時間スロットｔ１において、ＯＮＵ６５０のうちの１つがλｕで送信する。その時間スロットｔ１の間にλｕで送信するＯＮＵ６５０は予め、または任意の適切なプロトコルにより動的に決定することができる。
【００７４】
時間スロットｔ２の間に、ＯＮＵ６６０の１つはλ１でトラフィックを送信し、ＯＮＵ６６０の１つはλ２でトラフィックを送信し、ＯＮＵ６６０の１つはλ３でトラフィックを送信し、ＯＮＵ６６０の１つはλ４でトラフィックを送信する。留意すべき点として、一部の実施形態において、あるＯＮＵ６６０は（λ３について図３に示したように）λ１−λ４の少なくとも１つの波長を時分割し、時間スロットｔ２の間に共有波長で送信するＯＮＵ６６０は、予め決定しても、任意の適切なプロトコルにより動的に決定してもよい。
【００７５】
時間スロットｔ３の間に、ＯＮＵ６５０のうちの１つがλｕで送信する。その時間スロットｔ３の間にλｕで送信するＯＮＵ６５０は予め、または任意の適切なプロトコルにより動的に決定することができる。ある場合には、時間スロットｔ３で送信するＯＮＵ６５０は、時間スロットｔ１で送信するＯＮＵ６５０と異なってもよい。他の場合には、時間スロットｔ３で送信するＯＮＵ６５０は、時間スロットｔ１で送信するＯＮＵ６５０と同じであってもよい。
【００７６】
時間スロットｔ４の間に、ＯＮＵ６５０のうちの１つがλｕで送信する。その時間スロットｔ４の間にλｕで送信するＯＮＵ６５０は予め、または任意の適切なプロトコルにより動的に決定することができる。ある場合には、時間スロットｔ４で送信するＯＮＵ６５０は、時間スロットｔ１及び／または時間スロットｔ３で送信するＯＮＵ６５０と異なってもよい。別の場合には、時間スロットｔ４で送信するＯＮＵ６５０は、時間スロットｔ１及び／または時間スロットｔ３で送信するＯＮＵ６５０と同じであってもよい。
【００７７】
時間スロットｔ５の間に、ＯＮＵ６６０の１つはλ１でトラフィックを送信し、ＯＮＵ６６０の１つはλ２でトラフィックを送信し、ＯＮＵ６６０の１つはλ３でトラフィックを送信し、ＯＮＵ６６０の１つはλ４でトラフィックを送信する。時間スロットｔ５の間に（もしあれば）共有波長で送信するＯＮＵ６６０は、予め決めてあっても、任意の適切なプロトコルで動的に決めてもよい（時間スロットｔ２で共有波長で送信するＯＮＵ６６０と異なっても同じでもよい）。
【００７８】
図４に示したように、２つの通信アーキテクチャは、一方はλｕで送信し、もう一方はλ１−λ４で送信するが、アップストリーム送信を時分割する。留意すべき点として、時間スロット７００の一例におけるアップストリーム送信を図示して説明したが、トラフィックは任意の適切な方法でアップストリームに送信できる。例えば、時間スロットの順番は場合によって異なってもよい。また、ある通信アーキテクチャの時間スロットの長さは実施形態によって変わってもよい。また、実施形態によっては、時間スロットの長さは、通信アーキテクチャの２つのタイプの間で違っていてもよい。また、一部の実施形態では、アップストリームトラフィックをすべてのアップグレード時間スロットごとに、４つのすべての波長λ１−λ４で送信送信する必要はない。
【００７９】
また、留意すべき点として、第１の通信アーキテクチャについて１つのアップストリーム波長λｕを例示し、第２の通信アーキテクチャについて４つのアップストリーム波長λ１−λ４を例示したが、各通信アーキテクチャは任意の適切な数のアップストリーム波長で通信することができる。また、留意すべき点として、実施形態によっては、図４のλ１−λ４は図２のλ１−λ４と異なってもよい。別の実施形態では、図４のλ１−λ４は図２のλ１−λ４と同じであってもよい。
【００８０】
本発明の範囲から逸脱することなく、上記の例示したシステムと方法に修正、追加、または削除をすることができる。上記の例示した方法とシステムのコンポーネントは具体的な必要性に応じて一体化されたり、分離されたりしてもよい。さらに、上記の例示した方法とシステムの動作を実行するコンポーネントの数は多くても少なくてもよいし、他のコンポーネントで実行してもよい。
【００８１】
図５は、本発明の一実施形態による２つのダウンストリーム通信アーキテクチャをサポートするＨＰＯＮ８００の一例を示す図である。一実施形態では、第１のダウンストリーム通信アーキテクチャは、例えば、図１のＰＳＰＯＮ１０の通信アーキテクチャである。一実施形態では、第２のダウンストリーム通信アーキテクチャは、例えば、図１のＨＰＯＮ５００の通信アーキテクチャである。ＰＳＰＯＮ１０の通信アーキテクチャでは、ダウンストリームトラフィックをトランスミッタ１４がλｄで送信する。λｄは任意の適切なプロトコルによりＯＮＵ５０が時分割する。ＨＰＯＮ５００の通信アーキテクチャでは、ダウンストリームトラフィックはトランスミッタ５１４ａ−５１４ｄがλ１−λ４で送信する。λ１−λ４はそれぞれＯＮＵ５５０ａ−５５０ｄのセットにより時分割されている。
【００８２】
留意すべき点として、第１の通信アーキテクチャについて１つのダウンストリーム波長λｄを例示し、第２の通信アーキテクチャについて４つのダウンストリーム波長λ１−λ４を例示したが、各通信アーキテクチャは任意の適切な数のダウンストリーム波長で通信することができる。また、留意すべき点として、実施形態によっては、図５のλ１−λ４は図２、３、及び／または４のλ１−λ４と異なってもよい。別の実施形態では、図５のλ１−λ４は図２、３、及び４のλ１−λ４と同じであってもよい。
【００８３】
一部の実施形態において、図５の２つのダウンストリーム通信アーキテクチャはコンフリクトするものであってもよい。例えば、一部の実施形態において、λｄとλ１−λ４は部分的に重なり、そのため、衝突が起きるので同時には送信できなくてもよい。別の実施形態において、λｄとλ１−λ４は重ならず、トラフィックの衝突を起こさずに同時に送信できてもよい。しかし、とはいえ、λｄとλ１−λ４を同時に送信すると、トラフィックの通信が非効率となる。例えば、ＯＮＵがλｄとλ１−λ４のトラフィックを受信するレシーバを１つ有し、ＯＮＵに対応しないトラフィックを除去（filter  out）するブロックフィルタ（blocking  filter）を有さないとき、ＯＮＵは、λｄのトラフィックとλ１−λ４のトラフィックを同時に受け取る（トラフィックが歪められる）ので、その対応する波長のトラフィックを正しく処理できないだろう。
【００８４】
２つのコンフリクトするダウンストリームアーキテクチャをサポートするため、ＨＰＯＮ８００は２つのダウンストリームアーキテクチャ間の送信を時分割する。ＰＳＰＯＮ１０のダウンストリームアーキテクチャはある時間スロットで送信し、ＨＰＯＮ５００のダウンストリームアーキテクチャは他の時間スロットで送信する。ダウンストリーム送信を時分割することにより、ＨＰＯＮ８００は、２つのダウンストリーム通信アーキテクチャに、ダウンストリームＯＮＵ５０と５５０にトラフィックを効果的に伝送することができる。
【００８５】
ＨＰＯＮ８００はＯＬＴ８１２と、光ファイバ５３０と、ＲＮ５４０と、ＯＮＵ５０と、ＯＮＵ５５０ａ−５５０ｄとを有する。ＯＬＴ８１２はトランスミッタ１４、５１４ａ−５１４ｄと、マルチプレクサ５１５と、カップラ８１３と、フィルタ５１６と、レシーバ５１８と、トランスミッタ５２０と、フィルタ５２２とを含む。トランスミッタ１４、５１４ａ−５１４ｄと、マルチプレクサ５１５と、フィルタ５１６と、レシーバ５１８と、トランスミッタ５２０と、フィルタ５２２とは、図１と図２を参照して上で説明したので、ここでは詳しく説明しない。留意すべき点として、λｄとλ１−λ４での送信は何らかの理由でコンフリクトしてもよい。理由とは、例えば、λｄとλ１−λ４が少なくとも部分的に重なるとか、ＨＰＯＮ８００のコンポーネント（例えば、ＯＮＵ５０及び／またはＯＮＵ５５０）がλｄとλ１−λ４のトラフィックを同時には正しく処理できないなどである。
【００８６】
カップラ８１３は、トランスミッタ１４とマルチプレクサ５１５をＰＯＮ８００のその他の部分と結合するように構成された任意の適切なカップラを含む。カップラ８１３は、レガシー時間スロットでトランスミッタ１４からλｄのダウンストリームトラフィックを受け取り、受け取ったトラフィックをフィルタ５１６に転送する。カップラ８１３は、さらに、アップグレード時間スロットでトランスミッタ５１４から（マルチプレクサ５１５を介して）λ１−λ４のダウンストリームトラフィックを受け取り、受け取ったトラフィックをフィルタ５１６に転送する。留意すべき点として、実施形態によっては、カップラ８１３は、ある入力信号のパワーロスが他の入力信号のパワーロスより大きいとき、非対称カップラを有してもよい。どの入力信号のパワー損失が大きいかは任意の適切な方法で決定できる。また、実施形態に応じて、カップラ８１３をフィルタと置き換えてもよい。光ファイバ５３０と、ＲＮ５４０と、ＯＮＵ５０と、ＯＮＵ５５０ａ−５５０ｄとは図１と図２を参照して説明したので、ここでは詳しく説明しない。
【００８７】
留意すべき点として、λｄのトラフィックはＲＮ５４０のフィルタ５４２が主パワースプリッタ５４８に送り、主パワースプリッタ５４８がそのλｄのトラフィックをＯＮＵ５０とＯＮＵ５５０ａ−５５０ｄにブロードキャストする。実施形態によっては、λｄのトラフィックはＯＮＵ５０により時分割されてもよい。別の実施形態では、λｄのトラフィックはＯＮＵ５０と１つ以上のＯＮＵ５５０により時分割されてもよい。
【００８８】
また、留意すべき点として、λ１のトラフィックはファイバブランチａに結合したＯＮＵ５０及び／またはＯＮＵ５５０ａに送られ、λ２のトラフィックはファイバブランチｂ（図示せず）に結合したＯＮＵ５０及び／またはＯＮＵ５５０ｂに送られ、λ３のトラフィックはファイバブランチｃ（図示せず）に結合したＯＮＵ５０及び／またはＯＮＵ５５０ｃに送られ、λ４のトラフィックはファイバブランチｄに結合したＯＮＵ５０及び／またはＯＮＵ５５０ｄに送られる。実施形態によっては、λ１−λ４のトラフィックはそれぞれＯＮＵ５５０ａ−５５０ｄにより時分割されてもよい。
【００８９】
動作中、ダウンストリーム方向では、レガシーＯＮＵ時間スロットでは、トランスミッタ１４はλｄでトラフィックを送信し、カップラ８１３はそのトラフィックを受け取り、そのトラフィックをフィルタ５１６に転送する。アップグレードＯＮＵ時間スロットでは、トランスミッタ５１４ａ−５１４ｄはそれぞれλ１−λ４でトラフィックを送信し、マルチプレクサ５１５はλ１−λ４のトラフィックを結合し、カップラ８１３はそのトラフィックを受け取り、フィルタ５１６に転送する。フィルタ５１６はλｄまたはλ１−λ４のいずれかのトラフィックをフィルタ５２２に送る。フィルタ５２２はλｄまたはλ１−λ４のいずれかのトラフィックをファイバ５３０を介してＲＮ５４０に送る。実施形態によっては、トラフィックはトランスミッタ５２０によりλｖでも送信され、このトラフィックはフィルタ５２２により他のダウンストリームトラフィックと結合され、ＯＮＵ５０と５５０にブロードキャストするためにファイバ５３０を介してＲＮ５４０に転送される。
【００９０】
ＲＮ５４０において、λｄのトラフィック（時間スロットがレガシーＯＮＵ時間スロットに対応する場合）またはλ１−λ４のトラフィック（時間スロットがアップグレードＯＮＵ時間スロットに対応する場合）をフィルタ５４２が受け取る。λｄのトラフィックはブロードキャスト用にフィルタ５４２が主パワースプリッタ５４８に送る。λ１−λ４のトラフィックは適当なルーティング（routing）のためにフィルタ５４２がデマルチプレクサ５４６に送る。
【００９１】
主パワースプリッタ５４８において、λｄのトラフィックは適切な数のコピーに分岐され、各コピーが対応する副パワースプリッタ５４９に転送される。各コピーは各副パワースプリッタ５４９で適切な数のコピーにさらに分岐され、ＯＮＵ５０及び／５５０の対応するセットに転送される。すべてのＯＮＵ５０と５５０はλｄのトラフィックを受け取るが、実施形態によっては、ＯＮＵ５０のみ（ＯＮＵ５５０は含まない）がλｄを時分割してもよい。別の実施形態では、ＯＮＵ５０と１つ以上のＯＮＵ５５０がλｄを時分割する。実施形態によっては、λｄのトラフィックが受け取ることを予定していないＯＮＵ５５０は、フィルタを用いて、またはその他の任意の適切な方法でλｄをブロックしてもよい。λｄのトラフィックを受け取るＯＮＵ５０または５５０は、任意の適切な方法で（例えば、トラフィックが担う識別子を読んで）受け取ることを予定しているλｄのトラフィックを特定する。そのトラフィックをＯＮＵが受け取ることを予定している場合、ＯＮＵはそのトラフィックを処理する。そのトラフィックをＯＮＵが受け取ることを予定していない場合、ＯＮＵはそのトラフィックを事実上無視する。
【００９２】
デマルチプレクサ５４６において、λ１−λ４は分離され、λ１−λ４のトラフィックが対応する副パワースプリッタ５４９に転送される。各副パワースプリッタ５４９は、λ１−λ４のうちの対応する波長のトラフィックを受け取り、そのトラフィックを適切な数のコピーに分岐し、各コピーを対応するＯＮＵのセットに転送する。各ＯＮＵのセットは１つ以上のＯＮＵ５０及び／または１つ以上のＯＮＵ５５０を含む。このように、λ１のトラフィックはＯＮＵ５５０ａとＯＮＵ５０にファイバブランチ（fiber  branch）ａを介して転送される。λ２のトラフィックはＯＮＵ５５０ｂと場合によってはＯＮＵ５０（図示せず）にファイバブランチｂ（図示せず）を介して転送される。λ３のトラフィックはＯＮＵ５５０ｃと場合によってはＯＮＵ５０（図示せず）にファイバブランチｃ（図示せず）を介して転送される。λ４のトラフィックはＯＮＵ５５０ｄとＯＮＵ５０にファイバブランチ（fiber  branch）ｄを介して転送される。実施形態によっては、λ１−λ４はそれぞれＯＮＵ５５０ａ−５５０ｄのセットにより共有され、ＯＮＵ５０には共有されない。実施形態によっては、２つ以上のＯＮＵ５５０（例えば、図示した実施形態ではＯＮＵ５５０ａ）がλ１−λ４の対応する波長を時分割してもよい。別の実施形態では、単一のＯＮＵ５５０（例えば、図示した実施形態ではＯＮＵ５５０ｄ）がλ１−λ４の一波長のトラフィックを受け取ってもよい。
【００９３】
実施形態によっては、λ１−λ４のうちの対応する一波長のトラフィックを受け取ることを予定していないＯＮＵ５０は、フィルタを用いて、またはその他の任意の適切な方法で、λ１−λ４のうちのその対応する一波長のトラフィックをブロックしてもよい。λ１−λ４のうちの対応する一波長のトラフィックを受け取るＯＮＵ５０または５５０は、任意の適切な方法で（例えば、トラフィックが担う識別子を読んで）受け取ることを予定しているλ１−λ４のトラフィックを特定する。そのトラフィックをＯＮＵが受け取ることを予定している場合、ＯＮＵはそのトラフィックを処理する。そのトラフィックをＯＮＵが受け取ることを予定していない場合、ＯＮＵはそのトラフィックを事実上無視する。
【００９４】
アップストリーム方向では、トラフィックを任意の適切な方法で送信する。例えば、実施形態によっては、図１、図２、または図３を参照して上で説明したように、またはその他の任意の適切な方法で、アップストリームトラフィックを時分割されたλｕ及び／またはλ１−λ４で送信する。再度留意すべき点として、実施形態によっては、ダウンストリーム方向のλ１−λ４はアップストリーム方向のλ１−λ４と異なってもよい。別の実施形態では、ダウンストリーム方向のλ１−λ４はアップストリーム方向のλ１−λ４と同じであってもよい。
【００９５】
また、留意すべき点として、ＨＰＯＮ８００がサポートする２つの通信アーキテクチャは、λｄでダウンストリームトラフィックを送信する第１の通信アーキテクチャと、λ１−λ４でダウンストリームトラフィックを送信する第２の通信アーキテクチャとを含むが、ＨＰＯＮ８００は任意の適切な通信アーキテクチャをサポートできる。例えば、一部の実施形態では、第１の通信アーキテクチャはより多くの波長でトラフィックを送信し、第２の通信アーキテクチャはより多くの波長またはより少ない波長でトラフィックを送信する。また、一部の実施形態では、第１の通信アーキテクチャは第２の通信アーキテクチャとは異なるビットレートでトラフィックを送信する。相異なるビットレートで送信するには、一部の実施形態では、その２つの通信アーキテクチャが送信を時分割する必要がある。また、留意すべき点として、実施形態に応じて、ＨＰＯＮ８００は任意の適切な方法でＰＯＮ６００の機能を提供するように修正してもよい。さらに留意すべき点として、実施形態によっては、３つ以上のダウンストリーム通信アーキテクチャをサポートしてもよい。また、一部の実施形態では、相異なる通信アーキテクチャにおいて２つの帯域が重なっており、トランスミッタが重なった帯域内で動作できる場合、そのトランスミッタは、その相異なる通信アーキテクチャでトラフィックを送信することができる。あるいは、トランスミッタは、波長調節可能であり各通信アーキテクチャの帯域で送信するように再構成できるようにすることにより、相異なる通信アーキテクチャでトラフィックを送信できる。
【００９６】
本発明の範囲から逸脱することなく、上記の例示したシステムと方法に修正、追加、または削除をすることができる。上記の例示した方法とシステムのコンポーネントは具体的な必要性に応じて一体化されたり、分離されたりしてもよい。さらに、上記の例示した方法とシステムの動作を実行するコンポーネントの数は多くても少なくてもよいし、他のコンポーネントで実行してもよい。
【００９７】
図６は、本発明の一実施形態による、図５のＨＰＯＮの一例における時間スロット９００におけるダウンストリーム送信を示す図である。最初の時間スロットｔ１において、ＯＬＴ８１２はＯＮＵ５０と５５０にブロードキャストするため、λｄでトラフィックを送信する。実施形態によっては、時間スロットｔ１におけるλｄのトラフィックは一ＯＮＵ５０が受け取ることを予定しており（intended  for  a  particular  ONU  ５０）、ＯＮＵ５０はλｄを時分割している。
【００９８】
時間スロットｔ２の間に、ＯＬＴ８１２は、ＯＮＵ５５０ａ−５５０ｄにルーティングするために、それぞれλ１−λ４でトラフィックを送信する。一部の実施形態では、時間スロットｔ２におけるλ１のトラフィックは、一ＯＮＵ５５０ａに送られる予定であり、時間スロットｔ２におけるλ２のトラフィックは、一ＯＮＵ５５０ｂに送られる予定であり、時間スロットｔ２におけるλ３のトラフィックは、一ＯＮＵ５５０ｃに送られる予定であり、時間スロットｔ２におけるλ４のトラフィックは、一ＯＮＵ５５０ｄに送られる予定である。一部の実施形態では、（図５に示したように）複数のＯＮＵ５５０ａがλ１を共有し、複数のＯＮＵ５５０ｂがλ２を共有し、複数のＯＮＵ５５０ｃがλ３を共有し、及び／または複数のＯＮＵ５５０ｄがλ４を共有する。別の実施形態では、単一のＯＮＵ５５０ａがλ１のトラフィックを受け取り、単一のＯＮＵ５５０ｂがλ２のトラフィックを受け取り、単一のＯＮＵ５５０ｃがλ３のトラフィックを受け取り、及び／または単一のＯＮＵ５５０ｄがλ４のトラフィックを受け取る（これは図５に示した）。
【００９９】
時間スロットｔ３の間に、ＯＬＴ８１２は、ＯＮＵ５５０ａ−５５０ｄ（及び、実施形態によっては、ＯＮＵ５０）にルーティングするために、それぞれλ１−λ４でトラフィックを送信する。一部の実施形態では、時間スロットｔ３においてλ１のトラフィックは、一ＯＮＵ５５０ａに送られる予定であり、時間スロットｔ３においてλ２のトラフィックは、一ＯＮＵ５５０ｂに送られる予定であり、時間スロットｔ３においてλ３のトラフィックは、一ＯＮＵ５５０ｃに送られる予定であり、時間スロットｔ３においてλ４のトラフィックは、一ＯＮＵ５５０ｄに送られる予定である。実施形態によっては、これらのＯＮＵ５５０は、時間スロットｔ２に送信されるトラフィックが送られる予定であるＯＮＵ５５０と異なってもよい。別の実施形態では、これらのＯＮＵ５５０は、時間スロットｔ２に送信されるトラフィックが送られる予定であるＯＮＵ５５０と同じであってもよい。
【０１００】
時間スロットｔ４において、ＯＬＴ８１２はＯＮＵ５０と５５０にブロードキャストするため、λｄでトラフィックを送信する。実施形態によっては、時間スロットｔ４におけるλｄのトラフィックは一ＯＮＵ５０に送られる予定であり（intended  for  a  particular  ONU  ５０）、ＯＮＵ５０はλｄを時分割している。実施形態によっては、λｄで時間スロットｔ４において送信されるトラフィックを受け取るＯＮＵ５０は、λｄで時間スロットｔ１において送信されるトラフィックを受け取るＯＮＵ５０と異なってもよい。別の実施形態では、λｄで時間スロットｔ４において送信されるトラフィックを受け取るＯＮＵ５０は、λｄで時間スロットｔ１において送信されるトラフィックを受け取るＯＮＵ５０と同じでもよい。
【０１０１】
時間スロットｔ５の間に、ＯＬＴ８１２は、ＯＮＵ５５０ａ−５５０ｄ（及び、実施形態によっては、ＯＮＵ５０）にルーティングするために、それぞれλ１−λ４でトラフィックを送信する。一部の実施形態では、時間スロットｔ５におけるλ１のトラフィックは一ＯＮＵ５５０ａに送られる予定であり、時間スロットｔ５におけるλ２のトラフィックは一ＯＮＵ５５０ｂに送られる予定であり、時間スロットｔ５におけるλ３のトラフィックは一ＯＮＵ５５０ｃに送られる予定であり、時間スロットｔ５におけるλ４のトラフィックは一ＯＮＵ５５０ｄに送られる予定である。実施形態によっては、これらのＯＮＵ５５０は、時間スロットｔ２及び／またはｔ３に送信されるトラフィックが送られる予定であるＯＮＵ５５０と異なってもよい。別の実施形態では、これらのＯＮＵ５５０は、時間スロットｔ２及び／またはｔ３に送信されるトラフィックが送られる予定であるＯＮＵ５５０と同じであってもよい。
【０１０２】
留意すべき点として、時間スロット９００の一例におけるダウンストリーム送信を図示して説明したが、トラフィックは任意の適切な方法でダウンストリームに送信できる。例えば、時間スロットの順番は場合によって異なってもよい。また、ある通信アーキテクチャの時間スロットの長さは実施形態によって変わってもよい。また、実施形態によっては、時間スロットの長さは、通信アーキテクチャの２つのタイプの間で違っていてもよい。また、一部の実施形態では、ダウンストリームトラフィックをすべてのアップグレード時間スロットごとに、４つのすべての波長λ１−λ４で送信する必要はない。また、時間スロットの順序は任意の適切な方法（例えば、所定かつ一定の方法または動的に変化する方法）でＯＬＴ８１２が選択してもよい。
【０１０３】
留意すべき点として、第１の通信アーキテクチャについて１つのダウンストリーム波長λｄを例示し、第２の通信アーキテクチャについて４つのダウンストリーム波長λ１−λ４を例示したが、各通信アーキテクチャは任意の適切な数のダウンストリーム波長で通信することができる。また、留意すべき点として、実施形態によっては、図６のλ１−λ４は図２、３、及び／または４のλ１−λ４と異なってもよい。別の実施形態では、図６のλ１−λ４は図２、３、及び４のλ１−λ４と同じであってもよい。
【０１０４】
本発明の範囲から逸脱することなく、上記の例示したシステムと方法に修正、追加、または削除をすることができる。上記の例示した方法とシステムのコンポーネントは具体的な必要性に応じて一体化されたり、分離されたりしてもよい。さらに、上記の例示した方法とシステムの動作を実行するコンポーネントの数は多くても少なくてもよいし、他のコンポーネントで実行してもよい。
【０１０５】
複数の実施形態を参照して本発明を説明したが、当業者にはいろいろな変更や修正ができることが明らかであろう。本発明はかかる変更や修正であって添付した付記の範囲に入るものを含む。
【０１０６】
なお、本発明の一部の実施形態を整理すると以下の通りである。
（付記１）  パッシブオプティカルネットワーク（ＰＯＮ）において相異なる通信アーキテクチャを管理する方法であって、
ＰＯＮにおける第１のチャネルのセットのうちの各チャネルで、第１の時間スロットで、アップストリームまたはダウンストリーム方向にトラフィックを送信する段階と、
前記第１のチャネルのセットより大きな帯域幅を提供する、ＰＯＮにおける第２のチャネルのセットのうちの各チャネルで、第２の時間スロットで、同じアップストリームまたはダウンストリーム方向にトラフィックを送信する段階とを有し、
前記第１のチャネルのセットのうちの少なくとも１つのチャネルは、前記第２のチャネルのセットのうちの少なくとも１つのチャネルと少なくとも部分的に重なるが、前記第２のチャネルのセットのうちの前記少なくとも１つのチャネルと同一ではない方法。
（付記２）  前記第１のセットのうちのチャネルの数は前記第２のセットのうちのチャネルの数とは異なる、付記１に記載の方法。
（付記３）  前記第１のチャネルのセットは単一のチャネルを含み、
前記第２のチャネルのセットは前記単一のチャネルの複数の副帯域を含む、付記２に記載の方法。
（付記４）  前記第１の時間スロットで送信される前記トラフィックの少なくとも一部は第１のビットレートでさらに送信され、
前記第２の時間スロットで送信される前記トラフィックの少なくとも一部は第２のビットレートでさらに送信され、
前記第１のビットレートは前記第２のビットレートは異なる、付記１に記載の方法。
（付記５）  前記トラフィックはアップストリーム方向に送信される、付記１に記載の方法。
（付記６）  前記第１のチャネルのセットのトラフィックはＰＯＮの受信端末の第１の対応するレシーバのセットで受け取られ、前記第２のチャネルのセットのトラフィックは前記受信端末の第２の対応するレシーバのセットで受け取られる、付記５に記載の方法。
（付記７）  前記トラフィックはダウンストリーム方向に送信される、付記１に記載の方法。
（付記８）  前記第１のチャネルのセットのトラフィックと前記第２のチャネルのセットのトラフィックはＰＯＮの少なくとも１つの受信端末の単一のレシーバで受け取られる、付記７に記載の方法。
（付記９）  パッシブオプティカルネットワーク（ＰＯＮ）において相異なる通信アーキテクチャを管理するシステムであって、
ＰＯＮにおける第１のチャネルのセットのうちの各チャネルで、第１の時間スロットで、アップストリームまたはダウンストリーム方向にトラフィックを送信するように構成された第１のトランスミッタのセットと、
前記第１のチャネルのセットより大きな帯域幅を提供する、ＰＯＮにおける第２のチャネルのセットのうちの各チャネルで、第２の時間スロットで、同じアップストリームまたはダウンストリーム方向にトラフィックを送信する第２のトランスミッタのセットとを有し、
前記第１のチャネルのセットのうちの少なくとも１つのチャネルは、前記第２のチャネルのセットのうちの少なくとも１つのチャネルと少なくとも部分的に重なるが、前記第２のチャネルのセットのうちの前記少なくとも１つのチャネルと同一ではないシステム。
（付記１０）  一トランスミッタが前記第１のトランスミッタのセットと前記第２のトランスミッタのセットとに含まれ、前記第１の時間スロットのチャネルと前記第２の時間スロットのチャネルでトラフィックを送信するように構成された、付記９に記載のシステム。
（付記１１）  前記第１のセットのうちのチャネルの数は前記第２のセットのうちのチャネルの数とは異なる、付記９に記載のシステム。
（付記１２）  前記第１のチャネルのセットは単一のチャネルを有し、
前記第２のチャネルのセットは前記単一のチャネルの複数の副帯域を含む、付記１１に記載のシステム。
（付記１３）  前記第１のトランスミッタのセットは第１のビットレートで前記第１の時間スロットで前記トラフィックの少なくとも一部を送信するようにさらに構成され、
前記第２のトランスミッタのセットは第２のビットレートで前記第２の時間スロットで前記トラフィックの少なくとも一部を送信するようにさらに構成され、
前記第１のビットレートは前記第２のビットレートは異なる、付記９に記載のシステム。
（付記１４）  前記第１のトランスミッタのセットと前記第２のトランスミッタのセットはアップストリーム方向にトラフィックを送信するように構成された、付記９に記載のシステム。
（付記１５）  前記第１のチャネルのセットで前記トラフィックを受け取るように構成された、前記ＰＯＮにおける受信端末にある第１のレシーバのセットと、
前記第２のチャネルのセットで前記トラフィックを受け取るように構成された、前記ＰＯＮにおける前記受信端末にある第２のレシーバのセットとをさらに有する、付記１４に記載のシステム。
（付記１６）  前記第１のチャネルのセットのトラフィックと前記第２のチャネルのセットのトラフィックとを受け取り、
前記受け取ったトラフィックを第１のコピーと第２のコピーに分岐し、
前記受け取ったトラフィックの第１のコピーを前記第１のレシーバのセットに転送し、
前記受け取ったトラフィックの第２のコピーを前記第２のレシーバのセットに転送する、前記受信端末にあるスプリッタをさらに有する、付記１５に記載のシステム。
（付記１７）  前記第１のチャネルのセットのトラフィックと前記第２のチャネルのセットのトラフィックとを受け取り、
前記第１のチャネルのセットのトラフィックを前記第１のレシーバのセットに選択的に転送し、前記第２のチャネルのセットのトラフィックを前記第２のレシーバのセットに選択的に転送する、前記受信端末にあるスイッチをさらに有する、付記１５に記載のシステム。
（付記１８）  前記第１のトランスミッタのセットと前記第２のトランスミッタのセットはダウンストリーム方向にトラフィックを送信するように構成された、付記９に記載のシステム。
（付記１９）  前記第１のチャネルのセットのトラフィックと前記第２のチャネルのセットのトラフィックを受け取る、前記ＰＯＮの少なくとも１つの受信端末にある単一のレシーバをさらに有する、付記１８に記載のシステム。
（付記２０）  パッシブオプティカルネットワーク（ＰＯＮ）において相異なる通信アーキテクチャを管理する方法であって、
ＰＯＮにおける第１のチャネルのセットのうちの各チャネルで、第１の時間スロットで、アップストリーム方向にトラフィックを送信する段階と、
前記第１のチャネルのセットより大きな帯域幅を提供する、ＰＯＮにおける第２のチャネルのセットのうちの各チャネルで、第２の時間スロットで、アップストリーム方向にトラフィックを送信する段階とを有し、
前記第１のチャネルのセットのうちの少なくとも１つのチャネルは、前記第２のチャネルのセットのうちの少なくとも１つのチャネルと少なくとも部分的に重なるが、前記第２のチャネルのセットのうちの前記少なくとも１つのチャネルと同一ではなく、
前記第１の時間スロットで送信される前記トラフィックの少なくとも一部は第１のビットレートでさらに送信され、
前記第２の時間スロットで送信される前記トラフィックの少なくとも一部は第２のビットレートでさらに送信され、
前記第１のビットレートは前記第２のビットレートは異なる方法。
【図面の簡単な説明】
【０１０７】
【図１】ＥＳＰＯＮの一例を示す図である。
【図２】ＨＰＯＮの一例を示す図である。
【図３】本発明の一実施形態による２つのアップストリーム通信アーキテクチャをサポートするＰＯＮの一例を示す図である。
【図４】本発明の一実施形態による、図３のＰＯＮの一例の時間スロットにおけるアップストリーム送信を示す図である。
【図５】本発明の一実施形態による２つのダウンストリーム通信アーキテクチャをサポートするＨＰＯＮの一例を示す図である。
【図６】本発明の一実施形態による、図５のＨＰＯＮの一例の時間スロットにおけるダウンストリーム送信を示す図である。
【図１】
2008187712.tif 000003
【図２】
2008187712.tif 000004
【図３】
2008187712.tif 000005
【図４】
2008187712.tif 000006
【図５】
2008187712.tif 000007
【図６】
2008187712.tif 000008